(57)【要約】  送信時間間隔（ＴＴＩ）におけるサイドリンク（ＳＬ）上のシンボルのシーケンスを送信および受信するための技法が説明される。本技法の一方法態様に関して、ＴＴＩにおけるＳＬの少なくとも１つの第１のシンボル（３０２）に基づいて、ＳＬのために自動利得制御（ＡＧＣ）が実施される。ＡＧＣに基づいて、ＴＴＩにおけるＳＬの少なくとも１つの第２のシンボル（３０４）において符号化されたＳＬ制御情報（ＳＣＩ）が受信される。ＳＣＩに基づいて、ＴＴＩにおけるＳＬの少なくとも１つの第３のシンボル（３０６）において符号化されたデータが受信される。【選択図】図８
2022502914.tif 000002
【特許請求の範囲】
【請求項１】
１つの送信時間間隔（ＴＴＩ）におけるサイドリンク（ＳＬ）上のシンボルのシーケンスを受信する方法（４００）であって、前記方法が、
前記ＴＴＩにおける前記ＳＬの少なくとも１つの第１のシンボル（３０２）に基づいて、前記ＳＬのための自動利得制御（ＡＧＣ）を実施するステップ（４０２）と、
前記ＡＧＣに基づいて、前記ＴＴＩにおける前記ＳＬの少なくとも１つの第２のシンボル（３０４）において符号化されたＳＬ制御情報（ＳＣＩ）を受信するステップ（４０４）と、
前記ＳＣＩに基づいて、前記ＴＴＩにおける前記ＳＬの少なくとも１つの第３のシンボル（３０６）において符号化されたデータを受信するステップ（４０６）と
を含むかまたは始動する、方法（４００）。
【請求項２】
前記ＳＬの前記少なくとも１つの第１のシンボル（３０２）が、前記ＴＴＩにおける前記ＳＬの前記少なくとも１つの第２のシンボル（３０４）の受信より前に受信され、および／または、前記ＳＬの前記少なくとも１つの第２のシンボル（３０４）が、前記ＴＴＩにおける前記ＳＬの前記少なくとも１つの第３のシンボル（３０６）の受信より前に受信される、請求項１に記載の方法。
【請求項３】
前記ＳＬの前記少なくとも１つの第１のシンボル（３０２）と前記ＳＬの前記少なくとも１つの第２のシンボル（３０４）とが前記ＴＴＩにおいて連続し、および／または、前記ＳＬの前記少なくとも１つの第２のシンボル（３０４）と前記ＳＬの前記少なくとも１つの第３のシンボル（３０６）とが前記ＴＴＩにおいて連続する、請求項１または２に記載の方法。
【請求項４】
前記少なくとも１つの第１のシンボル（３０２）が少なくとも１つの参照信号を含む、請求項１から３のいずれか一項に記載の方法。
【請求項５】
前記少なくとも１つの参照信号が少なくとも１つの復調用参照信号（ＤＭＲＳ）を含む、請求項４に記載の方法。
【請求項６】
前記ＳＣＩを受信することが、
前記少なくとも１つの第１のシンボル（３０２）における前記少なくとも１つの参照信号を使用して前記少なくとも１つの第２のシンボル（３０４）を復調すること
を含むかまたは始動する、請求項４または５に記載の方法。
【請求項７】
前記ＡＧＣを実施する前記ステップが、前記ＳＬを受信するモバイルデバイス（１００）において前記少なくとも１つの第１のシンボル（３０２）の受信電力を測定することを含むかまたは前記少なくとも１つの第１のシンボル（３０２）の受信電力を測定することに基づく、請求項６に記載の方法。
【請求項８】
データが前記少なくとも１つの第１のシンボル（３０２）において符号化される、請求項１から７のいずれか一項に記載の方法。
【請求項９】
前記データと前記少なくとも１つの参照信号とが、周波数領域において前記少なくとも１つの第１のシンボル（３０２）において、好ましくは、前記少なくとも１つの第１のシンボル（３０２）におけるサブキャリアのコム状割り当てにおいて、多重化される、請求項４または５と関連した請求項８に記載の方法。
【請求項１０】
前記少なくとも１つの第１のシンボル（３０２）におけるサブキャリアの前記コム状割り当てが１つおきのサブキャリアを空のままにする、請求項９に記載の方法。
【請求項１１】
前記少なくとも１つの参照信号がｎ個のアクティブサブキャリアごとに供給され、ｎが、２よりも大きいかまたはそれに等しい正の整数である、請求項９または１０に記載の方法。
【請求項１２】
前記少なくとも１つの第１のシンボル（３０２）において符号化された前記データを受信することが、
前記少なくとも１つの第１のシンボル（３０２）中に含まれる前記少なくとも１つの参照信号に基づいて、前記少なくとも１つの第１のシンボル（３０２）を復調すること
を含むかまたは始動する、請求項４または５と関連する請求項８または９に記載の方法。
【請求項１３】
前記少なくとも１つの第１のシンボル（３０２）において符号化された前記データを受信することが、
前記少なくとも１つの第２のシンボル（３０４）中に含まれる参照信号に基づいて、前記少なくとも１つの第１のシンボル（３０２）を復調すること
を含むかまたは始動する、請求項８から１２のいずれか一項に記載の方法。
【請求項１４】
前記少なくとも１つの第２のシンボル（３０４）中に含まれる前記参照信号が少なくとも１つの復調用参照信号（ＤＭＲＳ）を含む、請求項１３に記載の方法。
【請求項１５】
前記少なくとも１つの第１のシンボル（３０２）において符号化された前記データを受信することは、
前記ＳＬを受信するモバイルデバイスの速度が絶対速度しきい値よりも小さい、受信モバイルデバイスと前記ＳＬを送信するモバイルデバイスとの間の相対速度が相対速度しきい値よりも小さい、チャネル状態の変化レートがレートしきい値よりも小さい、のうちの少なくとも１つである場合、前記少なくとも１つの第３のシンボル（３０６）中に含まれる参照信号に基づいて、前記少なくとも１つの第１のシンボル（３０２）を復調すること
を含むかまたは始動する、請求項８から１４のいずれか一項に記載の方法。
【請求項１６】
前記ＴＴＩにおける前記ＳＬの前記少なくとも１つの第１のシンボル（３０２）が、前記ＴＴＩにおける前記ＳＬの前記少なくとも１つの第３のシンボル（３０６）において符号化された前記データに対して冗長的に符号化される、請求項１から１５のいずれか一項に記載の方法。
【請求項１７】
前記ＳＣＩは、前記少なくとも１つの第１のシンボル（３０２）がデータを含むか否かを指示する、請求項１から１６のいずれか一項に記載の方法。
【請求項１８】
前記ＳＣＩは、前記少なくとも１つの第１のシンボル（３０２）において符号化された前記データが、前記少なくとも１つの第１のシンボル（３０２）中に含まれる参照信号に対応するアンテナポート上で送信されるのか、前記少なくとも１つの第２のシンボル（３０４）に含まれる参照信号に対応するアンテナポート上で送信されるのか、前記少なくとも１つの第３のシンボル（３０６）中に含まれる参照信号に対応するアンテナポート上で送信されるのかを指示する、請求項８と関連する請求項１から１７のいずれか一項に記載の方法。
【請求項１９】
前記少なくとも１つの第１のシンボル（２０３）、前記少なくとも１つの第２のシンボル（３０４）および／または前記少なくとも１つの第３のシンボル（３０６）中に含まれる前記参照信号が、少なくとも１つの復調用参照信号（ＤＭＲＳ）を含む、請求項１８に記載の方法。
【請求項２０】
前記ＳＣＩが、変調方式とコーディング方式とのうちの少なくとも１つを指示し、前記方法が、前記変調方式と前記コーディング方式とのうちの少なくとも１つに従って、前記少なくとも１つの第１のシンボル（３０２）において符号化された前記データと前記少なくとも１つの第３のシンボル（３０６）において符号化された前記データとのうちの少なくとも１つを復号することをさらに含む、請求項１から１９のいずれか一項に記載の方法。
【請求項２１】
前記復号することが、前記ＳＣＩを受信した後に、および／または前記ＴＴＩの終了の前に開始する、請求項２０に記載の方法。
【請求項２２】
前記ＳＬが、送信モバイルデバイス（２００）から受信モバイルデバイス（１００）への無線チャネルを含む、請求項１から２１のいずれか一項に記載の方法。
【請求項２３】
前記方法が、前記受信モバイルデバイス（１００）によってまたは前記受信モバイルデバイス（１００）において実施される、請求項２２に記載の方法。
【請求項２４】
前記少なくとも１つの第２のシンボル（３０４）が物理ＳＬ制御チャネル（ＰＳＣＣＨ）に割り当てられる、請求項１から２３のいずれか一項に記載の方法。
【請求項２５】
前記少なくとも１つの第３のシンボル（３０６）が物理ＳＬ共有チャネル（ＰＳＳＣＨ）に割り当てられる、請求項１から２５のいずれか一項に記載の方法。
【請求項２６】
前記少なくとも１つの第１のシンボル（３０２）が物理ＳＬブロードキャストチャネル（ＰＳＢＣＨ）に割り当てられる、請求項１から２５のいずれか一項に記載の方法。
【請求項２７】
１つの送信時間間隔（ＴＴＩ）におけるサイドリンク（ＳＬ）上のシンボル（３０２、３０４、３０６）のシーケンスを送信する方法（５００）であって、前記方法が、
前記ＳＬのための自動利得制御（ＡＧＣ）を実施するための基礎としての、前記ＴＴＩにおける前記ＳＬの少なくとも１つの第１のシンボル（３０２）を送信するステップ（５０２）と、
前記少なくとも１つの第１のシンボル（３０２）の前記送信の後に、前記ＴＴＩにおける前記ＳＬの少なくとも１つの第２のシンボル（３０４）において符号化されたＳＬ制御情報（ＳＣＩ）を送信するステップ（５０４）と、
前記ＳＣＩに従って、前記ＴＴＩにおける前記ＳＬの少なくとも１つの第３のシンボル（３０６）において符号化されたデータを送信するステップ（５０６）と
を含むかまたは始動する、方法（５００）。
【請求項２８】
請求項１から２６のいずれか一項に記載の１つまたは複数のステップ、またはそれに対応する１つまたは複数のステップをさらに含むかまたは始動する、請求項２７に記載の方法。
【請求項２９】
１つの送信時間間隔（ＴＴＩ）におけるサイドリンク（ＳＬ）上のシンボル（３０２、３０４、３０６）のシーケンスを含む信号構造（３００）であって、前記信号構造が、
前記ＳＬのための自動利得制御（ＡＧＣ）を実施するための基礎としての、前記ＴＴＩにおける前記ＳＬの少なくとも１つの第１のシンボル（３０２）と、
前記ＴＴＩにおける、前記少なくとも１つの第１のシンボル（３０２）の後の、サイドリンク制御情報（ＳＣＩ）で符号化された少なくとも１つの第２のシンボル（３０４）と、
前記ＴＴＩにおける、前記少なくとも１つの第２のシンボル（３０４）の後の、前記ＳＣＩに従ってデータで符号化された少なくとも１つの第３のシンボル（３０６）と
を含む、信号構造（３００）。
【請求項３０】
さらなるデータと冗長データとのうちの少なくとも１つが、前記少なくとも１つの第１のシンボル（３０２）において符号化される、請求項２９に記載の信号構造（３００）。
【請求項３１】
前記少なくとも１つの第１のシンボル（３０２）が少なくとも１つの参照信号を含む、請求項２９または３０に記載の信号構造（３００）。
【請求項３２】
前記シーケンスにおける前記シンボル（３０２、３０４、３０６）が、時間において連続するおよび重複しないのうちの少なくとも１つである、請求項２９から３１のいずれか一項に記載の信号構造（３００）。
【請求項３３】
請求項１から２０、または２８のいずれか一項に記載の１つまたは複数の特徴、あるいはそれに対応する１つまたは複数の特徴をさらに含む、請求項２９から３２のいずれか一項に記載の信号構造（３００）。
【請求項３４】
コンピュータプログラム製品であって、前記コンピュータプログラム製品が１つまたは複数のコンピューティングデバイス（１１０４、１２０４）上で実行されたとき、請求項１から２２のいずれか一項に記載のステップを実施するための、随意にコンピュータ可読記録媒体（１１０６、１２０６）に記憶された、プログラムコード部分を含む、コンピュータプログラム製品。
【請求項３５】
１つの送信時間間隔（ＴＴＩ）におけるサイドリンク（ＳＬ）上のシンボル（３０２、３０４、３０６）のシーケンスを受信するためのデバイス（１００）であって、前記デバイス（１００）が、
前記ＴＴＩにおける前記ＳＬの少なくとも１つの第１のシンボル（３０２）に基づいて、前記ＳＬのための自動利得制御（ＡＧＣ）を実施するように設定されたＡＧＣユニット（１０２）と、
前記ＡＧＣに基づいて、前記ＴＴＩにおける前記ＳＬの少なくとも１つの第２のシンボル（３０４）において符号化されたＳＬ制御情報（ＳＣＩ）を受信するように設定された制御情報受信ユニット（１０４）と、
前記ＳＣＩに基づいて、前記ＴＴＩにおける前記ＳＬの少なくとも１つの第３のシンボル（３０６）において符号化されたデータを受信するように設定されたデータ受信ユニット（１０６）と
を備える、デバイス（１００）。
【請求項３６】
請求項１から２６のいずれか一項に記載のステップを実施するようにさらに設定された、請求項３５に記載のデバイス（１００）。
【請求項３７】
１つの送信時間間隔（ＴＴＩ）におけるサイドリンク（ＳＬ）上のシンボル（３０２、３０４、３０６）のシーケンスを送信するためのデバイス（２００）であって、前記デバイス（２００）が、
前記ＳＬのための自動利得制御（ＡＧＣ）を実施するための基礎としての、前記ＴＴＩにおける前記ＳＬの少なくとも１つの第１のシンボル（３０２）を送信するように設定されたＡＧＣ送信ユニット（２０２）と、
前記少なくとも１つの第１のシンボル（３０２）の前記送信の後に、前記ＴＴＩにおける前記ＳＬの少なくとも１つの第２のシンボル（３０４）において符号化されたＳＬ制御情報（ＳＣＩ）を送信するように設定された制御情報送信ユニット（２０４）と、
前記ＳＣＩに従って、前記ＴＴＩにおける前記ＳＬの少なくとも１つの第３のシンボル（３０６）において符号化されたデータを送信するように設定されたデータ送信ユニット（２０６）と
を備える、デバイス（２００）。
【請求項３８】
請求項２７または２８に記載のステップを実施するようにさらに設定された、請求項３７に記載の無線デバイス（２００）。
【請求項３９】
１つの送信時間間隔（ＴＴＩ）におけるサイドリンク（ＳＬ）上のシンボル（３０２、３０４、３０６）のシーケンスを受信するためのデバイス（１００）であって、前記デバイス（１００）が、少なくとも１つのプロセッサ（１１０４）とメモリ（１１０６）とを備え、前記メモリ（１１０６）が、前記少なくとも１つのプロセッサ（１１０４）によって実行可能な命令を備え、それにより、前記デバイス（１００）が、
前記ＴＴＩにおける前記ＳＬの少なくとも１つの第１のシンボル（３０２）に基づいて、前記ＳＬのための自動利得制御（ＡＧＣ）を実施することと、
前記ＡＧＣに基づいて、前記ＴＴＩにおける前記ＳＬの少なくとも１つの第２のシンボル（３０４）において符号化されたＳＬ制御情報（ＳＣＩ）を受信することと、
前記ＳＣＩに基づいて、前記ＴＴＩにおける前記ＳＬの少なくとも１つの第３のシンボル（３０６）において符号化されたデータを受信することと
を行うように動作可能である、デバイス（１００）。
【請求項４０】
請求項１から２６のいずれか一項に記載のステップを実施するようにさらに動作可能な、請求項３９に記載のデバイス（１００）。
【請求項４１】
送信時間間隔（ＴＴＩ）におけるサイドリンク（ＳＬ）上のシンボル（３０２、３０４、３０６）のシーケンスを送信するためのデバイス（２００）であって、前記デバイス（２００）が、少なくとも１つのプロセッサ（１２０４）とメモリ（１２０６）とを備え、前記メモリ（１２０６）が、前記少なくとも１つのプロセッサ（１２０４）によって実行可能な命令を備え、それにより、前記デバイス（２００）が、
前記ＳＬのための自動利得制御（ＡＧＣ）を実施するための基礎としての、前記ＴＴＩにおける前記ＳＬの少なくとも１つの第１のシンボル（３０２）を送信することと、
前記少なくとも１つの第１のシンボル（３０２）の前記送信の後に、前記ＴＴＩにおける前記ＳＬの少なくとも１つの第２のシンボル（３０４）において符号化されたＳＬ制御情報（ＳＣＩ）を送信することと、
前記ＳＣＩに従って、前記ＴＴＩにおける前記ＳＬの少なくとも１つの第３のシンボル（３０６）において符号化されたデータを送信することと
を行うように動作可能である、デバイス（２００）。
【請求項４２】
請求項２７または２８に記載のステップを実施するようにさらに動作可能な、請求項４１に記載のデバイス（２００）。
【請求項４３】
基地局（６０２、１３１２、１４２０）またはゲートウェイとして機能する無線デバイス（２００、１００）と通信するように設定された、ユーザ機器（ＵＥ）（１００、２００、１１００、１２００、１３９１、１３９２、１４３０）であって、前記ＵＥ（１００、２００、１１００、１２００、１３９１、１３９２、１４３０）が、無線インターフェース（１１０２、１２０２、１４３７）と、請求項１から２６、または２７から２８のいずれか一項に記載のステップを実行するように設定された処理回路（１１０４、１２０４、１４３８）とを備える、ユーザ機器（ＵＥ）（１００、２００、１１００、１２００、１３９１、１３９２、１４３０）。
【請求項４４】
ホストコンピュータ（１３３０、１４１０）を含む通信システム（１３００、１４００）であって、前記ホストコンピュータ（１３３０、１４１０）は、
ユーザデータを提供するように設定された処理回路（１４１８）と、
ユーザ機器（ＵＥ）（１００、２００、１１００、１２００、１３９１、１３９２、１４３０）への送信のためにセルラまたはアドホック無線ネットワーク（６００、１４２０）にユーザデータをフォワーディングするように設定された通信インターフェース（１４１６）を備え、
前記ＵＥ（１００、２００、１１００、１２００、１３９１、１３９２、１４３０）が、無線インターフェース（１１０２、１２０２、１４３７）と処理回路（１１０４、１２０４、１４３８）とを備え、前記ＵＥ（１００、２００、１１００、１２００、１３９１、１３９２、１４３０）の前記処理回路（１１０４、１２０４、１４３８）が、請求項１から２６、あるいは２７または２８のいずれか一項に記載のステップを実行するように設定されている、通信システム（１３００、１４００）。
【請求項４５】
前記ＵＥ（１００、２００、１１００、１２００、１３９１、１３９２、１４３０）をさらに含む、請求項４４に記載の通信システム（１３００、１４００）。
【請求項４６】
前記無線ネットワーク（６００、１４２０）が、前記ＵＥ（１００、２００、１１００、１２００、１３９１、１３９２、１４３０）と通信するように設定された、基地局（６０２、１３１２、１４２０）、またはゲートウェイとして機能する無線デバイス（１００、２００、１１００、１２００、１３９１、１３９２、１４３０）をさらに備える、請求項４４または４５に記載の通信システム（１３００、１４００）。
【請求項４７】
前記ホストコンピュータ（１３３０、１４１０）の前記処理回路（１４１８）が、ホストアプリケーション（１４１２）を実行するように設定され、それにより、前記ユーザデータを提供し、
前記ＵＥ（１００、２００、１１００、１２００、１３９１、１３９２、１４３０）の前記処理回路（１１０４、１２０４、１４３８）が、前記ホストアプリケーション（１４１２）に関連付けられたクライアントアプリケーション（１４３２）を実行するように設定された、
請求項４４から４６のいずれか一項に記載の通信システム（１３００、１４００）。
【発明の詳細な説明】
【技術分野】
【０００１】
本開示は、一般に、サイドリンク上での無線通信のための技法に関する。より詳細には、送信時間間隔におけるサイドリンク上のシンボルのシーケンスを送信および受信するための方法およびデバイス、ならびに対応する信号構造が提供される。
【背景技術】
【０００２】
Ｖ２Ｘ（Ｖｅｈｉｃｌｅ−ｔｏ−Ｅｖｅｒｙｔｈｉｎｇ）通信とも呼ばれる、少なくとも１つの車両を伴う無線通信が、非安全情報と安全情報の両方を搬送する。Ｖ２Ｘ通信を使用する対応するアプリケーションおよびサービスが、たとえば、共通認識メッセージ（ＣＡＭ：Ｃｏｍｍｏｎ  Ａｗａｒｅｎｅｓｓ  Ｍｅｓｓａｇｅ）および分散型通知メッセージ（ＤＥＮＭ）または基本安全メッセージ（ＢＳＭ）として知られるメッセージを送信することについてのレイテンシ、信頼性、容量などに関する要件の特定のセットに関連付けられる。これらのメッセージのデータボリュームは、モバイルブロードバンド（ＭＢＢ）通信と比較して極めて低い。むしろ、安全関係Ｖ２Ｘ通信は、通常、高信頼性、低レイテンシおよび瞬時通信を必要とする。
【０００３】
少なくともいくつかの状況では、これらの要件は、送信が、自己完結型である、すなわち、１つの送信時間間隔（ＴＴＩ）中に制御情報とデータとを含めることによるものである場合のみ、満たされ得る。識別子でスクランブルされた制御情報をブラインド復号することによって、識別された無線デバイスが、瞬時データ受信のための制御情報、たとえば、スケジューリング割り振りを受信することができる。
【０００４】
第３世代パートナーシッププロジェクト（３ＧＰＰ）は、Ｌｏｎｇ  Ｔｅｒｍ  Ｅｖｏｌｕｔｉｏｎ（ＬＴＥ）のコンテキストにおけるＶ２Ｘ通信を指定した。図１７は、ＬＴＥ  Ｖ２Ｘにおける物理サイドリンク制御チャネル（ＰＳＣＣＨ）および物理サイドリンク共有チャネル（ＰＳＳＣＨ）についての、（水平軸上の）時間および（垂直軸上の）周波数におけるリソースのマッピングを概略的に示す。２つのチャネル、すなわち、ＰＳＣＣＨとＰＳＳＣＨとは、別個に符号化され、変調される。
【０００５】
２つの無線デバイスが、互いに対して移動し、ならびに／または、無線伝搬を散乱および阻止する環境内で移動するにつれて、受信無線デバイスにおいて送信無線デバイスから受信される信号電力が不規則に変動する。したがって、最後の送信時間間隔（ＴＴＩ）におけるデータ受信のために正常に適用された受信機利得が、現在のＴＴＩに好適であるのか、現在のＴＴＩにおいてデータ受信を不可能にするのかが予測不可能であり得る。したがって、各受信無線デバイスは、その受信機利得を制御するための機構を実施しなければならず、これは、自動利得制御（ＡＧＣ：ａｕｔｏｍａｔｉｃ  ｇａｉｎ  ｃｏｎｔｒｏｌ）として知られる。たとえば、３ＧＰＰによって指定されている、ＬＴＥおよび新無線（Ｎｅｗ  Ｒａｄｉｏ：ＮＲ）によるＶ２Ｘ通信は、主に、電力制御なしのブロードキャスト送信を含む。
【０００６】
従来のＬＴＥ  Ｖ２Ｘ通信では、ＰＳＣＣＨとその関連するＰＳＳＣＨとが周波数において多重化される。より詳細には、チャネルの各々が、周波数領域において隣接するリソースブロック（ＲＢ）の異なるグループを割り当てられ、これは図１７に示されている。そのような信号構造は自己完結型ＴＴＩを提供する。ただし、多重化のこのやり方では、両方のチャネルは、それらの第１のシンボルをＡＧＣ整定（ＡＧＣ  ｓｅｔｔｌｉｎｇ）シンボルとして有する。残りのシンボルは、ＰＳＣＣＨの場合に復調用参照信号（ＤＭＲＳ）とサイドリンク制御情報（ＳＣＩ）とを含むか、またはＰＳＳＣＨの場合にＤＭＲＳとデータとを含むかのいずれかである。２つのチャネルの復調は、それらのチャネルのそれぞれのＤＭＲＳを使用して別個に実施される。各チャネルでは、第１のシンボルが、ＡＧＣを実施する間に失われない、すなわち、第１のシンボルがＡＧＣ整定により失われない場合、第１のシンボル中に含まれるＤＭＲＳは、対応するチャネルの復調のために使用され得る。
【０００７】
最新のＡＧＣセッティングが現在のＴＴＩにとって好適でない場合、そのＴＴＩにおけるＳＣＩの少なくともいくつかのシンボルが失われ、したがって、制御情報と、結果として、データとが、復号不可能にされる。ある状況において、レイテンシを増加させることと、自己完結型ＴＴＩの原理に違反することという犠牲を払って、別のＴＴＩにおいてあらかじめＳＣＩを送信することによって、この問題を解決することができる。
【発明の概要】
【０００８】
したがって、モバイルデバイス間のサイドリンクを可能にする無線通信技法が必要である。代替またはさらなる目的は、モバイルデバイス間のサイドリンク上でのリソース効率的なおよび／または低レイテンシ無線通信のための技法である。代替またはより具体的な目的は、モバイルデバイス間のサイドリンク上での自己完結型ＴＴＩを可能にする無線通信技法である。
【０００９】
第１の方法態様に関して、送信時間間隔（ＴＴＩ）におけるサイドリンク（ＳＬ）上のシンボルのシーケンスを受信する方法が提供される。本方法は、ＴＴＩにおけるＳＬの少なくとも１つの第１のシンボルに基づいて、ＳＬのための自動利得制御（ＡＧＣ）を実施するステップを含むかまたは始動し得る。本方法は、ＡＧＣに基づいて、ＴＴＩにおけるＳＬの少なくとも１つの第２のシンボルにおいて符号化されたＳＬ制御情報（ＳＣＩ）を受信するステップをさらに含むかまたは始動し得る。本方法は、ＳＣＩに基づいて、ＴＴＩにおけるＳＬの少なくとも１つの第３のシンボルにおいて符号化されたデータを受信するステップをさらに含むかまたは始動し得る。
【００１０】
少なくとも１つの第１のシンボルにおいて参照信号および／またはデータを送信することによって、サイドリンクの無線リソースが、少なくともいくつかの実施形態によってより効率的に使用され得る。たとえば、受信モバイルデバイスが、少なくとも１つの第１のシンボルにおける参照信号を使用して、コヒーレント復調を適時的に改善することができる。代替的にまたは追加として、受信モバイルデバイスは、少なくとも１つの第１のシンボルにおいて符号化されたデータ（たとえば、さらなるデータまたは冗長データ）に基づいて、適時的に、さらなるデータを復号するかまたはデータ受信の信頼性を改善することができる。
【００１１】
同じまたはさらなる実施形態では、ＴＴＩにおけるＡＧＣシンボルが自己完結型送信を可能にすることができ、したがって、受信モバイルデバイスは、その受信利得を、送信モバイルデバイスからの特定のＴＴＩおよび特定のＳＬのために調節することが可能である。
【００１２】
同じまたはさらなる実施形態は、少なくとも１つの第１のシンボルを、たとえば、受信機におけるＡＧＣプロセスによりＡＧＣ整定シンボルが完全には失われない場合、ＳＬの制御チャネルおよび／またはデータチャネルについての有用な情報を適時的に搬送するＡＧＣ整定シンボルとして使用することを可能にし得る。
【００１３】
ＴＴＩにおけるＳＬのシンボルの各々は直交周波数分割多重（ＯＦＤＭ）シンボルであり得る。
【００１４】
本方法は、受信モバイルデバイスによって実施され得る。ＳＬは、送信モバイルデバイスと受信モバイルデバイスとの間の直接無線リンクであり得る。送信モバイルデバイスおよび／または受信モバイルデバイスのいずれも、たとえば、第３世代パートナーシッププロジェクト（３ＧＰＰ）によるユーザ機器（ＵＥ）であり得る。
【００１５】
ＴＴＩは、たとえば、ＳＬの無線フレーム構造におけるスロットまたはサブフレームであり得る。
【００１６】
シンボルのシーケンスは、ＴＴＩ内で送信モバイルデバイスから受信モバイルデバイスにＳＬ上で送信され得る。
【００１７】
ＡＧＣから生じる利得が、制御チャネルと共有チャネルの両方に適用され得る。
【００１８】
ＡＧＣは、ＳＬ上の少なくとも１つの第１のシンボルの受信電力に基づき得る。受信電力は参照信号受信電力（ＲＳＲＰ）であり得る。
【００１９】
ＳＬの少なくとも１つの第１のシンボルは、ＴＴＩにおけるＳＬの少なくとも１つの第２のシンボルの受信より前に受信され得る。代替的にまたは追加として、ＳＬの少なくとも１つの第２のシンボルは、ＴＴＩにおけるＳＬの少なくとも１つの第３のシンボルの受信より前に受信され得る。
【００２０】
少なくとも１つの第１のシンボルはＴＴＩの始まりを規定し得る。代替的にまたは追加として、少なくとも１つの第３のシンボルはＴＴＩの終了を規定し得る。
【００２１】
ＳＬの少なくとも１つの第１のシンボルとＳＬの少なくとも１つの第２のシンボルとはＴＴＩにおいて連続し得る。代替的にまたは追加として、ＳＬの少なくとも１つの第２のシンボルとＳＬの少なくとも１つの第３のシンボルとはＴＴＩにおいて連続する。
【００２２】
少なくとも１つの第１のシンボルは、少なくとも１つの参照信号を含み得る。これは、特に、本明細書で第２または第４の実施形態と呼ばれる任意の実施形態において実装され得る。参照信号、または２つ以上の参照信号の各々は、たとえば、それぞれ、１つまたは複数の空間ストリームをコヒーレントに復調するための復調用参照信号（ＤＭＲＳ）であり得る。
【００２３】
ＳＣＩを受信することは、少なくとも１つの第１のシンボルにおける少なくとも１つの参照信号を使用して少なくとも１つの第２のシンボルを復調するステップを含むかまたは始動し得る。これは、特に、本明細書で第４の実施形態と呼ばれる実施形態において実装され得る。
【００２４】
少なくとも１つの第１のシンボルにおける少なくとも１つの参照信号は、少なくとも１つの第２のシンボルを復調するための少なくとも１つの第２のシンボル中に含まれるさらなる参照信号に加えて、使用され得る。少なくとも１つの第１のシンボルにおける少なくとも１つの参照信号は適時的に使用され得る。たとえば、少なくとも１つの第１のシンボルは、（ＡＧＣセッティングが変更されなければならない場合に）ＡＧＣセッティングのために使用されるか、または追加の参照信号のために使用されるかのいずれかであり得る。
【００２５】
少なくとも１つの第１のシンボルにおける少なくとも１つの参照信号は、少なくとも１つの第２のシンボルを復調することをサポートし得る。少なくとも１つの第２のシンボルは、少なくとも１つの第１のシンボルにおける少なくとも１つの参照信号と、ＴＴＩにおけるさらなる参照信号とに基づいて、コヒーレントに復調され得る。
【００２６】
ＡＧＣを実施するステップは、ＳＬを受信するモバイルデバイスにおいて少なくとも１つの第１のシンボルの受信電力を測定することを含み得、および／または少なくとも１つの第１のシンボルの受信電力を測定することに基づき得る。これは、特に、本明細書で第４の実施形態と呼ばれる実施形態において実装され得る。受信電力はＲＳＲＰであり得る。
【００２７】
データは、少なくとも１つの第１のシンボルにおいて符号化され得る。これは、特に、本明細書で第１、第２または第３の実施形態と呼ばれる任意の実施形態において実装され得る。本方法は、少なくとも１つの第１のシンボルにおいて符号化されたデータを復調および／または復号するステップをさらに含むかまたは始動し得る。
【００２８】
少なくとも１つの第１のシンボルにおける、データと少なくとも１つの参照信号とは、少なくとも１つの第１のシンボルにおいて周波数多重化され得る。好ましくは、データと参照信号との各々が、少なくとも１つの第１のシンボルにおけるサブキャリアのコム状割り当てに従って構成され得る。
【００２９】
少なくとも１つの第１のシンボルにおけるサブキャリアのコム状割り当ては１つおきのサブキャリアを空のままにし得る。代替的にまたは追加として、少なくとも１つの参照信号、たとえばＤＭＲＳが、ｎ個のアクティブサブキャリアごとに供給され得、ｎは、２よりも大きいかまたはそれに等しい正の整数である。たとえば、ＤＭＲＳは、少なくとも１つの第１のシンボルの１つおきのまたは２つおきのアクティブサブキャリアに供給され得る。
【００３０】
少なくとも１つの第１のシンボルにおいて符号化されたデータを受信することは、少なくとも１つの第１のシンボル中に含まれる少なくとも１つの参照信号に基づいて、少なくとも１つの第１のシンボルを復調することを含むかまたは始動し得る。これは、特に、本明細書で第２の実施形態と呼ばれる任意の実施形態において実装され得る。
【００３１】
随意に、少なくとも１つの第１のシンボルは、少なくとも１つの第２のシンボルおよび／または少なくとも１つの第３のシンボルと同じアンテナポート上で送信され得る。たとえば、少なくとも１つの第１のシンボルにおいて符号化されたデータ、ならびに少なくとも１つの第２のシンボルにおいて符号化されたＳＣＩおよび／または少なくとも１つの第３のシンボルにおいて符号化されたデータが、少なくとも１つの第１のシンボル、ならびに第２および／または第３のシンボル中に含まれる参照信号に基づいて、コヒーレントに復調され得る。
【００３２】
少なくとも１つの第１のシンボルにおいて符号化されたデータを受信することは、少なくとも１つの第２のシンボル中に含まれる参照信号に基づいて、少なくとも１つの第１のシンボルを復調するステップを含むかまたは始動し得る。これは、特に、本明細書で第１の実施形態と呼ばれる任意の実施形態において実装され得る。少なくとも１つの第１のシンボルと少なくとも１つの第２のシンボルとは、同じアンテナポート上で送信され得る。
【００３３】
少なくとも１つの第２のシンボル中に含まれる参照信号は、１つまたは複数のＤＭＲＳを含み得る。
【００３４】
少なくとも１つの第１のシンボルにおいて符号化されたデータを受信することは、ＴＴＩについてのコヒーレンス条件が満たされる場合、少なくとも１つの第３のシンボル中に含まれる参照信号に基づいて、少なくとも１つの第１のシンボルを復調するステップを含むかまたは始動し得る。これは、特に、本明細書で第３の実施形態と呼ばれる任意の実施形態において実装され得る。コヒーレンス条件は、ＳＬを受信するモバイルデバイスの速度が絶対速度しきい値よりも小さい場合、受信モバイルデバイスとＳＬを送信するモバイルデバイスとの間の相対速度が相対速度しきい値よりも小さい場合、および／あるいは、チャネル状態の変化レートまたはチャネル推定値がレートしきい値よりも小さい場合、満たされ得る。
【００３５】
少なくとも１つの第１のシンボルと少なくとも１つの第３のシンボルとは、同じアンテナポート上で送信され得る。少なくとも１つの第１のシンボルの復調は、コヒーレンス条件が満たされる場合、少なくとも１つの第３のシンボル中に含まれる参照信号に選択的に基づき得る。
【００３６】
チャネル状態は、受信モバイルデバイスにおいて測定され、および／または送信モバイルデバイスに報告され得る。たとえば、受信モバイル端末が、少なくとも１つの第３のシンボル中に含まれる参照信号に基づいて、チャネル状態を推定し得る。代替的にまたは追加として、送信モバイルデバイスは、（たとえば、チャネル相互関係に基づいて）チャネル状態を測定し得る。たとえば、送信モバイルデバイスは、ＳＬの下にあるチャネルが相互的である場合、受信モバイルから送信された参照信号に基づいて、チャネル状態を推定し得る。
【００３７】
少なくとも１つの参照信号のいずれかに基づいて復調するステップのいずれも、それぞれの少なくとも１つの参照信号に基づいてチャネル推定を実施することと、チャネル推定を使用して復調することとを含み得る。
【００３８】
ＴＴＩにおけるＳＬの少なくとも１つの第１のシンボルは、ＴＴＩにおけるＳＬの少なくとも１つの第３のシンボルにおいて符号化されたデータに対して冗長的に符号化され得る。これは、特に、本明細書で第１、第２または第３の実施形態と呼ばれる任意の実施形態において実装され得る。
【００３９】
少なくとも１つの第１のシンボルは、ＴＴＩにおけるＳＬの少なくとも１つの第３のシンボルにおいて符号化されたデータに対して冗長であるデータで符号化され得る。少なくとも１つの第１のシンボルにおいて符号化されたデータは前方誤り訂正（ＦＥＣ）を提供し得る。少なくとも１つの第１のシンボルおよび少なくとも１つの第３のシンボルは、冗長コード、たとえば、誤り訂正コード（ＥＣＣ）から生じるコードワードに従って符号化され得る。
【００４０】
ＳＣＩに基づいて、受信モバイルデバイスは、ＴＴＩにおけるＳＬ上のデータ（または対応するデータパケット）が受信モバイルデバイスに宛てられるか否かを（たとえば、物理レイヤ上で）決定し得る。代替的にまたは追加として、受信モバイルデバイスは、データを復調するために必要な情報を推論し得る。
【００４１】
ＳＣＩは、少なくとも１つの第１のシンボルがデータを含むか否かを指示し得る。受信モバイルデバイスは、ＳＣＩが、少なくとも１つの第１のシンボルがデータを含むことを指示したことに応答して、第１、第２および第３の実施形態のうちのいずれか１つを選択的に実施するように設定され得る。
【００４２】
代替的にまたは追加として、ＳＣＩは、少なくとも１つの第１のシンボルにおいて符号化されたデータが、第１のシンボル中に含まれる参照信号に対応するアンテナポート上で送信されるのか、第２のシンボル中に含まれる参照信号に対応するアンテナポート上で送信されるのか、第３のシンボル中に含まれる参照信号に対応するアンテナポート上で送信されるのかを指示し得る。受信モバイルデバイスは、その指示に従って、第１、第２または第３の実施形態を選択的に実施するように設定され得る。
【００４３】
第１、第２または第３のシンボル中に含まれる参照信号は、１つまたは複数のＤＭＲＳを含み得る。
【００４４】
代替的にまたは追加として、ＳＣＩは、変調方式および／またはコーディング方式を指示し得る。本方法は、変調方式および／またはコーディング方式に従って、少なくとも１つの第１のシンボルにおいて符号化されたデータと少なくとも１つの第３のシンボルにおいて符号化されたデータとのうちの少なくとも１つを復号するステップをさらに含むかまたは始動し得る。復号するステップは、ＳＣＩを受信した後に、および／またはＴＴＩの終了の前に開始し得る。
【００４５】
ＳＣＩは、以下の情報のうちの少なくとも１つを提供し得る。ＳＣＩは周波数ホッピングフラグを含み得る。ＳＣＩは、周波数ホッピングが少なくとも１つの第１のシンボルおよび／または第３のシンボルのために適用されるかどうかを指示し得る。ＳＣＩはリソースブロック割り振りを指示し得る。ＳＣＩは、割り当てられたリソースブロック（ＲＢ）の数および／または（たとえば、時間および／または周波数における）それらのＲＢのロケーションに関する情報を提供し得る。ＳＣＩは、少なくとも１つの第１のシンボルの数および／または少なくとも１つの第３のシンボルの数を指示し得る。ＳＣＩは変調符号化方式（ＭＣＳ）を指示し得る。ＳＣＩは、タイミングアドバンス、すなわち、受信モバイルデバイスについてのタイミング調節値を指示し得る。
【００４６】
ＳＬは、送信モバイルデバイスから受信モバイルデバイスへの無線チャネルを含み得る。第１の方法態様は、受信モバイルデバイスによってまたは受信モバイルデバイスにおいて実施され得る。
【００４７】
少なくとも１つの第２のシンボルは物理ＳＬ制御チャネル（ＰＳＣＣＨ）に割り当てられ得る。少なくとも１つの第３のシンボルは物理ＳＬ共有チャネル（ＰＳＳＣＨ）に割り当てられ得る。
【００４８】
少なくとも１つの第１のシンボルは物理ＳＬブロードキャストチャネル（ＰＳＢＣＨ）に割り当てられ得る。
【００４９】
第２の方法態様に関して、送信時間間隔（ＴＴＩ）におけるサイドリンク（ＳＬ）上のシンボルのシーケンスを送信する方法が提供される。本方法は、ＳＬのための自動利得制御（ＡＧＣ）を実施するための基礎としての、ＴＴＩにおけるＳＬの少なくとも１つの第１のシンボルを送信するステップを含むかまたは始動する。本方法は、少なくとも１つの第１のシンボルの送信の後に、ＴＴＩにおけるＳＬの少なくとも１つの第２のシンボルにおいて符号化されたＳＬ制御情報（ＳＣＩ）を送信するステップをさらに含むかまたは始動する。本方法は、ＳＣＩに従って、ＴＴＩにおけるＳＬの少なくとも１つの第３のシンボルにおいて符号化されたデータを送信するステップをさらに含むかまたは始動する。
【００５０】
第２の方法態様は、第１の方法態様のコンテキストにおいて開示されるステップのいずれかおよび／または特徴のいずれか、あるいはそれに対応するステップおよび／または特徴をさらに含むかまたは始動し得る。
【００５１】
信号態様に関して、送信時間間隔（ＴＴＩ）におけるサイドリンク（ＳＬ）上のシンボルのシーケンスを含む信号構造が提供される。本信号構造は、ＳＬのための自動利得制御（ＡＧＣ）を実施するための基礎としての、ＴＴＩにおけるＳＬの少なくとも１つの第１のシンボルを含む。本信号構造は、ＴＴＩにおける、少なくとも１つの第１のシンボルの後の、サイドリンク制御情報（ＳＣＩ）で符号化された少なくとも１つの第２のシンボルをさらに含む。本信号構造は、ＴＴＩにおける、少なくとも１つの第２のシンボルの後の、ＳＣＩに従ってデータで符号化された少なくとも１つの第３のシンボルをさらに含む。
【００５２】
本信号構造は、ＴＴＩ内で送信モバイルデバイスから受信モバイルデバイスにＳＬ上で送信され得る。少なくとも１つの第１のシンボルは、ＳＬの受信モバイルデバイスにおいてＡＧＣを実施することを可能にし得る。ＡＧＣに基づいて、受信モバイルデバイスは、ＳＣＩと、さらに、ＳＣＩに従うデータとを受信し得る。
【００５３】
シンボルの各々は、それぞれリソースエレメント（ＲＥ）またはサブキャリアに対応するフーリエ成分のセットによって規定され得る。本信号構造は、周波数と時間とのうちの少なくとも１つにおける、シンボルを搬送するＲＥの構成として実装され得る。代替的にまたは追加として、本信号構造は、空間と時間とのうちの少なくとも１つにおける（たとえば、コヒーレント）光子の構成として実装され得る。
【００５４】
さらなるデータおよび／または冗長データが、少なくとも１つの第１のシンボルにおいて符号化され得る。これは、特に、本明細書で第１、第２または第３の実施形態と呼ばれる任意の実施形態において実装され得る。さらなるデータは、少なくとも１つの第３のシンボルにおいて符号化されたデータに加えて、符号化され得る。代替的にまたは追加として、少なくとも１つにおいて符号化されたデータは、少なくとも１つの第３のシンボルにおいて符号化されたデータに対して冗長であり得る。
【００５５】
少なくとも１つの第１のシンボルは、少なくとも１つの参照信号を含み得る。これは、特に、本明細書で第２または第４の実施形態と呼ばれる任意の実施形態において実装され得る。
【００５６】
シーケンスにおけるシンボルは、時間において連続するおよび重複しないのうちの少なくとも１つであり得る。シーケンスにおけるシンボルはＴＴＩにおいて隣接し得る。
【００５７】
本信号構造は、第１または第２の方法態様のコンテキストにおいて開示される任意の特徴、あるいはそれに対応する特徴をさらに含み得る。
【００５８】
ＴＴＩは、無線フレーム構造のサブフレームまたはスロットであり得る。ＳＬは、たとえば、３ＧＰＰによれば、Ｖ２Ｖ（Ｖｅｈｉｃｌｅ−ｔｏ−Ｖｅｈｉｃｌｅ）通信、Ｖ２Ｉ（Ｖｅｈｉｃｌｅ−ｔｏ−Ｉｎｆｒａｓｔｒｕｃｔｕｒｅ）通信、Ｖ２Ｐ（Ｖｅｈｉｃｌｅ−ｔｏ−Ｐｅｄｅｓｔｒｉａｎ）通信、（Ｖ２Ｖ、Ｖ２ＩおよびＶ２Ｐ通信のうちの少なくとも１つを含み得る）Ｖ２Ｘ（Ｖｅｈｉｃｌｅ−ｔｏ−Ｅｖｅｒｙｔｈｉｎｇ）通信、およびＤ２Ｄ（ｄｅｖｉｃｅ−ｔｏ−ｄｅｖｉｃｅ）通信のうちの少なくとも１つを含むかまたはサーブし得る。
【００５９】
異なる参照信号が、たとえば、多入力またはビームフォーミングＳＬのために、送信モバイルデバイスの異なるアンテナポートから受信され得る。代替的にまたは追加として、各参照信号が、たとえば、多入力多出力（ＭＩＭＯ）ＳＬのために、受信モバイルデバイスの複数のアンテナポートにおいて受信され得る。
【００６０】
本技法は、たとえば、１つまたは複数のモバイルデバイスをサーブするように設定された無線アクセスネットワーク（ＲＡＮ）に接続可能な１つまたは複数のモバイルデバイスにおいて実装され得る。
【００６１】
モバイルデバイスのいずれも、ＳＬ上での）ピアツーピア通信のために、および／または（たとえばアップリンクおよび／またはダウンリンク上で）ＲＡＮにアクセスするために設定され得る。無線デバイスは、ユーザ機器（ＵＥ、たとえば、３ＧＰＰ  ＵＥ）、モバイルまたはポータブル局（ＳＴＡ、たとえばＷｉ−Ｆｉ  ＳＴＡ）、マシン型通信（ＭＴＣ）のためのデバイス、狭帯域モノのインターネット（ＮＢ−ＩｏＴ）のためのデバイス、あるいはそれらの組合せであり得る。ＵＥおよびモバイル局のための例は、モバイルフォンとタブレットコンピュータとを含む。ポータブル局のための例は、ラップトップコンピュータとテレビ受像機とを含む。ＭＴＣデバイスまたはＮＢ−ＩｏＴデバイスのための例は、たとえば、製造、自動車通信およびホームオートメーションにおける、ロボット、センサーおよび／またはアクチュエータを含む。ＭＴＣデバイスまたはＮＢ−ＩｏＴデバイスは、家庭用器具およびコンシューマエレクトロニクスにおいて実装され得る。組合せのための例は、自動運転車両と、ドア相互通信システムと、現金自動預け払い機とを含む。
【００６２】
基地局のための例は、３Ｇ基地局またはノードＢと、４Ｇ基地局またはｅノードＢと、５Ｇ基地局またはｇノードＢと、アクセスポイント（たとえば、Ｗｉ−Ｆｉアクセスポイント）と、（たとえば、Ｂｌｕｅｔｏｏｔｈ、ＺｉｇＢｅｅまたはＺ−Ｗａｖｅによる）ネットワークコントローラとを含み得る。
【００６３】
ＲＡＮは、汎欧州デジタル移動電話方式（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、および／または新無線（ＮＲ）に従って実装され得る。
【００６４】
本技法は、無線通信のためのプロトコルスタックの物理レイヤ（ＰＨＹ）、媒体アクセス制御（ＭＡＣ）レイヤ、無線リンク制御（ＲＬＣ）レイヤ、および／または無線リソース制御（ＲＲＣ）レイヤ上で実装され得る。
【００６５】
別の態様に関して、コンピュータプログラム製品が提供される。本コンピュータプログラム製品は、本コンピュータプログラム製品が１つまたは複数のコンピューティングデバイスによって実行されたとき、本明細書で開示される第１の方法態様および／または第２の方法態様のステップのうちのいずれか１つを実施するためのプログラムコード部分または命令を含む。本コンピュータプログラム製品は、コンピュータ可読記録媒体に記憶され得る。本コンピュータプログラム製品はまた、データネットワークを介した、たとえば、アドホックネットワーク、ＲＡＮ、インターネットを介したおよび／または基地局による、ダウンロードのために提供され得る。代替的にまたは追加として、本方法は、フィールドプログラマブルゲートアレイ（ＦＰＧＡ）および／または特定用途向け集積回路（ＡＳＩＣ）において符号化され得るか、あるいは、機能が、ハードウェア記述言語によってダウンロードのために提供され得る。
【００６６】
第１のデバイス態様に関して、送信時間間隔（ＴＴＩ）におけるサイドリンク（ＳＬ）上のシンボルのシーケンスを受信するためのデバイスが提供される。本デバイスは、ＴＴＩにおけるＳＬの少なくとも１つの第１のシンボルに基づいて、ＳＬのための自動利得制御（ＡＧＣ）を実施するように設定されたＡＧＣユニットを備える。本デバイスは、ＡＧＣに基づいて、ＴＴＩにおけるＳＬの少なくとも１つの第２のシンボルにおいて符号化されたＳＬ制御情報（ＳＣＩ）を受信するように設定された制御情報受信ユニットをさらに備える。本デバイスは、ＳＣＩに基づいて、ＴＴＩにおけるＳＬの少なくとも１つの第３のシンボルにおいて符号化されたデータを受信するように設定されたデータ受信ユニットをさらに備える。
【００６７】
本デバイス、たとえば、ユニットのうちのいずれか１つ、または専用ユニットは、別の態様、特に第１の方法態様のコンテキストにおいて開示されるステップのいずれかを実施するようにさらに設定され得るか、または別の態様、特に第１の方法態様のコンテキストにおいて開示される任意の特徴を備え得る。
【００６８】
第２のデバイス態様に関して、送信時間間隔（ＴＴＩ）におけるサイドリンク（ＳＬ）上のシンボルのシーケンスを送信するためのデバイスが提供される。本デバイスは、ＳＬのための自動利得制御（ＡＧＣ）を実施するための基礎としての、ＴＴＩにおけるＳＬの少なくとも１つの第１のシンボルを送信するように設定されたＡＧＣ送信ユニットを備える。本デバイスは、少なくとも１つの第１のシンボルの送信の後に、ＴＴＩにおけるＳＬの少なくとも１つの第２のシンボルにおいて符号化されたＳＬ制御情報（ＳＣＩ）を送信するように設定された制御情報送信ユニットをさらに備える。本デバイスは、ＳＣＩに従って、ＴＴＩにおけるＳＬの少なくとも１つの第３のシンボルにおいて符号化されたデータを送信するように設定されたデータ送信ユニットをさらに備える。
【００６９】
本デバイス、たとえば、ユニットのうちのいずれか１つ、または専用ユニットは、別の態様、特に第２の方法態様のコンテキストにおいて開示されるステップのいずれかを実施するようにさらに設定され得るか、または別の態様、特に第２の方法態様のコンテキストにおいて開示される任意の特徴を備え得る。
【００７０】
さらなる第１のデバイス態様に関して、送信時間間隔（ＴＴＩ）におけるサイドリンク（ＳＬ）上のシンボルのシーケンスを受信するためのデバイスが提供される。本デバイスは、少なくとも１つのプロセッサとメモリとを備える。前記メモリは、前記少なくとも１つのプロセッサによって実行可能な命令を備え、それにより、本デバイスは、ＴＴＩにおけるＳＬの少なくとも１つの第１のシンボルに基づいて、ＳＬのための自動利得制御（ＡＧＣ）を実施するように動作可能である。命令の実行は、さらに、本デバイスが、ＡＧＣに基づいて、ＴＴＩにおけるＳＬの少なくとも１つの第２のシンボルにおいて符号化されたＳＬ制御情報（ＳＣＩ）を受信するように動作可能であることを引き起こす。命令の実行は、さらに、本デバイスが、ＳＣＩに基づいて、ＴＴＩにおけるＳＬの少なくとも１つの第３のシンボルにおいて符号化されたデータを受信するように動作可能であることを引き起こす。
【００７１】
さらなる第２のデバイス態様に関して、送信時間間隔（ＴＴＩ）におけるサイドリンク（ＳＬ）上のシンボルのシーケンスを送信するためのデバイスが提供される。本デバイスは、少なくとも１つのプロセッサとメモリとを備える。前記メモリは、前記少なくとも１つのプロセッサによって実行可能な命令を備え、それにより、本デバイスは、ＳＬのための自動利得制御（ＡＧＣ）を実施するための基礎としての、ＴＴＩにおけるＳＬの少なくとも１つの第１のシンボルを送信するように動作可能である。命令の実行は、さらに、本デバイスが、少なくとも１つの第１のシンボルの送信の後に、ＴＴＩにおけるＳＬの少なくとも１つの第２のシンボルにおいて符号化されたＳＬ制御情報（ＳＣＩ）を送信するように動作可能であることを引き起こす。命令の実行は、さらに、本デバイスが、ＳＣＩに従って、ＴＴＩにおけるＳＬの少なくとも１つの第３のシンボルにおいて符号化されたデータを送信するように動作可能であることを引き起こす。
【００７２】
またさらなる態様に関して、基地局と通信するように設定されたユーザ機器（ＵＥ）が提供される。本ＵＥは、無線インターフェースと処理回路とを備え、処理回路は、本方法態様のステップのうちのいずれか１つを実行するように設定される。
【００７３】
またさらなる態様に関して、ホストコンピュータを含む通信システムが提供される。ホストコンピュータは、ユーザデータを提供するように設定された処理回路を備え得る。ホストコンピュータは、ユーザ機器（ＵＥ）への送信のためにセルラネットワークにユーザデータをフォワーディングするように設定された通信インターフェースをさらに備え得、ＵＥは、無線インターフェースと処理回路とを備え、ＵＥの処理回路は、第１および／または第２の方法態様のステップのうちのいずれか１つを実行するように設定される。
【００７４】
本通信システムは、ＵＥをさらに含み得る。代替的にまたは追加として、セルラネットワークは、ＵＥと通信するように設定された基地局をさらに含み得る。
【００７５】
ホストコンピュータの処理回路は、ホストアプリケーションを実行し、それによりユーザデータを提供するように設定され得る。代替的にまたは追加として、ＵＥの処理回路は、ホストアプリケーションに関連付けられたクライアントアプリケーションを実行するように設定され得る。
【００７６】
またさらなる態様に関して、ユーザ機器（ＵＥ）において実装される方法が提供される。本方法は、第１および／または第２の方法態様のステップのいずれかを含み得る。
【００７７】
本技法を具現するための、デバイス、ＵＥ、システム、あるいは任意のノードまたは局は、第１の方法態様および／または第２の方法態様のコンテキストにおいて開示される任意の特徴をさらに含み得、その逆も同様である。特に、ユニットおよびモジュールのうちのいずれか１つ、あるいは専用ユニットまたはモジュールが、第１の方法態様および／または第２の方法態様のうちのいずれか１つのステップのうちの１つまたは複数を実施またはトリガするように設定され得る。
【００７８】
本技法の実施形態のさらなる詳細が、同封の図面を参照しながら説明される。
【図面の簡単な説明】
【００７９】
【図１】送信時間間隔におけるサイドリンク上のシンボルのシーケンスを受信するためのデバイス実施形態の概略ブロック図である。
【図２】送信時間間隔におけるサイドリンク上のシンボルのシーケンスを送信するためのデバイス実施形態の概略ブロック図である。
【図３】送信時間間隔におけるサイドリンク上のシンボルのシーケンスを含む信号構造実施形態を概略的に示す図である。
【図４】図１のデバイスによって実装可能である、送信時間間隔におけるサイドリンク上のシンボルのシーケンスを受信するための方法の一実施形態のフローチャートである。
【図５】図２のデバイスによって実装可能である、送信時間間隔におけるサイドリンク上のシンボルのシーケンスを送信するための方法の一実施形態のフローチャートである。
【図６】図１および図２のデバイスのいずれかならびに図３の信号構造を実装するための例示的なネットワーク環境を概略的に示す図である。
【図７】図３の信号構造実施形態の一実装形態のための概略時間周波数グリッドを示す図である。
【図８】図３の信号構造の第１の実施形態のための概略時間周波数グリッドを示す図である。
【図９Ａ】特に第２の実施形態において実装可能である、ＡＧＣ整定シンボルのためのサブキャリア割り当ての第１の例を概略的に示す図である。
【図９Ｂ】特に第２の実施形態において実装可能である、データシンボルのためのサブキャリア割り当ての第２の例を概略的に示す図である。
【図１０】図３の信号構造の第３の実施形態のための概略時間周波数グリッドを示す図である。
【図１１】図１のデバイスのさらなる実施形態の一実装例の概略ブロック図である。
【図１２】図２のデバイスのさらなる実施形態の一実装例の概略ブロック図である。
【図１３】中間ネットワークを介してホストコンピュータに接続された通信ネットワークを概略的に示す図である。
【図１４】部分的無線接続上でホストコンピュータが基地局を介してユーザ機器と通信することの一般化されたブロック図である。
【図１５】ホストコンピュータと基地局とユーザ機器とを含む通信システムにおいて実装される方法のためのフローチャートである。
【図１６】ホストコンピュータと基地局とユーザ機器とを含む通信システムにおいて実装される方法のためのフローチャートである。
【図１７】従来の信号構造を示す図である。
【発明を実施するための形態】
【００８０】
以下の説明では、限定ではなく説明の目的で、本明細書で開示される技法の完全な理解を提供するために、特定のネットワーク環境など、特定の詳細が記載される。本技法が、これらの特定の詳細から逸脱する他の実施形態において実施され得ることが、当業者には明らかであろう。その上、以下の実施形態は、主に、新無線（ＮＲ）または５Ｇ実装形態のために説明されるが、本明細書で説明される技法はまた、３ＧＰＰ  ＬＴＥまたはそれの後継、規格ファミリーＩＥＥＥ８０２．１１による無線ローカルエリアネットワーク（ＷＬＡＮ）、Ｂｌｕｅｔｏｏｔｈ  Ｓｐｅｃｉａｌ  Ｉｎｔｅｒｅｓｔ  Ｇｒｏｕｐ（ＳＩＧ）、特に、Ｂｌｕｅｔｏｏｔｈ低エネルギーおよびＢｌｕｅｔｏｏｔｈブロードキャスティングによるＢｌｕｅｔｏｏｔｈ、ならびに／あるいはＩＥＥＥ８０２．１５．４に基づくＺｉｇＢｅｅを含む、任意の他の無線ネットワークにおいて実装され得ることが容易に明らかである。
【００８１】
その上、本明細書で説明される機能、ステップ、ユニットおよびモジュールは、プログラムされたマイクロプロセッサ、特定用途向け集積回路（ＡＳＩＣ）、フィールドプログラマブルゲートアレイ（ＦＰＧＡ）、デジタル信号プロセッサ（ＤＳＰ）、または、たとえば、高度ＲＩＳＣマシン（ＡＲＭ）を含む汎用コンピュータとともに機能するソフトウェアを使用して実装され得ることを、当業者は諒解されよう。以下の実施形態は、主に、方法およびデバイスを伴うコンテキストにおいて説明されるが、本発明はまた、コンピュータプログラム製品において具現され、ならびに少なくとも１つのコンピュータプロセッサと少なくとも１つのプロセッサに結合されたメモリとを備えるシステムにおいて具現され得、メモリは、機能およびステップを実施するか、または本明細書で開示されるユニットおよびモジュールを実装し得る、１つまたは複数のプログラムで符号化されることも諒解されよう。
【００８２】
図１は、送信時間間隔（ＴＴＩ）におけるサイドリンク（ＳＬ）上のシンボルのシーケンスを受信するためのデバイスのブロック図を概略的に示す。参照符号１００は、総称的に、そのようなデバイスを指す。
【００８３】
デバイス１００は、ＴＴＩにおけるＳＬの少なくとも１つの第１のシンボルに基づいて、ＳＬのための自動利得制御（ＡＧＣ）を実施するかまたは始動するＡＧＣモジュール１０２を備える。デバイス１００は、ＡＧＣに基づいて、ＴＴＩにおけるＳＬの少なくとも１つの第２のシンボルにおいて符号化されたサイドリンク制御情報（ＳＣＩ）を受信するＳＣＩ受信モジュール１０４をさらに備える。デバイス１００は、ＳＣＩに基づいて、ＴＴＩにおけるＳＬの少なくとも１つの第３のシンボルにおいて符号化されたデータを受信するデータ受信モジュール１０６をさらに備える。
【００８４】
デバイス１００のモジュールのいずれも、対応する機能を提供するように設定されたユニットによって実装され得る。
【００８５】
図２は、送信時間間隔（ＴＴＩ）におけるサイドリンク（ＳＬ）上のシンボルのシーケンスを送信するためのデバイスのブロック図を概略的に示す。参照符号２００は、総称的に、そのようなデバイスを指す。
【００８６】
デバイス２００は、ＳＬのための自動利得制御（ＡＧＣ）を実施するための基礎としての、ＴＴＩにおけるＳＬの少なくとも１つの第１のシンボルを送信する自動利得制御シンボル送信モジュール２０２を備える。デバイス２００は、少なくとも１つの第１のシンボルの送信の後に、ＴＴＩにおけるＳＬの少なくとも１つの第２のシンボルにおいて符号化されたサイドリンク制御情報（ＳＣＩ）を送信するサイドリンク制御情報送信モジュール２０４をさらに備える。デバイス２００は、ＳＣＩに従って、ＴＴＩにおけるＳＬの少なくとも１つの第３のシンボルにおいて符号化されたデータを送信するデータ送信モジュール２０６をさらに備える。
【００８７】
デバイス２００のモジュールのいずれも、対応する機能を提供するように設定されたユニットによって実装され得る。
【００８８】
デバイス１００は、受信モバイルデバイス、たとえば、ＳＬの受信端末によって実装され得る。代替的にまたは追加として、デバイス２００は、送信モバイルデバイス、たとえば、ＳＬの送信端末によって実装され得る。
【００８９】
任意の態様では、デバイス１００は、たとえば、Ｖ２Ｖ（Ｖｅｈｉｃｌｅ−ｔｏ−Ｖｅｈｉｃｌｅ）通信またはあらゆる車両（Ｖ２Ｘ）通信のために、デバイス２００に無線で接続されるかまたは接続可能であり、および／あるいはその逆も同様であり得る。Ｖ２Ｘ通信はＶｅｈｉｃｌｅ−ｔｏ−Ｅｖｅｒｙｔｈｉｎｇ通信とも呼ばれる。デバイス１００および２００のいずれも、ＳＬを介する無線アドホック接続のために設定された無線デバイスによってまたはその無線デバイスにおいて具現され得る。
【００９０】
随意に、デバイス１００および２００のいずれも、無線アクセスネットワーク（ＲＡＮ）に、たとえば、ＲＡＮの基地局に無線で接続されるかまたは接続可能であり得る。デバイス１００および２００のいずれも、たとえば無線接続された運転のために設定された車両において、ＲＡＮにアクセスするために設定された無線デバイスによってまたはその無線デバイスにおいて具現され得る。基地局は、ＲＡＮのネットワークコントローラ（たとえば、Ｗｉ−Ｆｉアクセスポイント）または無線アクセスノード（たとえば３ＧノードＢ、４Ｇ  ｅノードＢまたは５Ｇ  ｇノードＢ）を包含し得る。基地局は、無線アクセスを提供するように設定され得る。
【００９１】
代替的にまたは追加として、デバイス１００および２００のいずれも、ＲＡＮに接続可能な、モバイルまたはポータブル局、あるいは無線デバイスを含み得る。デバイス１００および２００のいずれも、ユーザ機器（ＵＥ）、特に、マシン型通信（ＭＴＣ）のためのデバイス、および／または（たとえば、狭帯域）モノのインターネット（ＩｏＴ）のためのデバイスであり得る。
【００９２】
図３は、１つの送信時間間隔（ＴＴＩ）におけるサイドリンク（ＳＬ）上のシンボルのシーケンスを含む信号構造の一実施形態を概略的に示す。信号構造は、総称的に、参照符号３００によって参照される。
【００９３】
信号構造３００は、ＳＬのための自動利得制御（ＡＧＣ）を実施するための基礎としての、ＴＴＩにおけるＳＬの少なくとも１つの第１のシンボル３０２を含む。少なくとも１つの第１のシンボル３０２は、ＡＧＣシンボル３０２またはＡＧＣ整定シンボル３０２と呼ばれることもある。
【００９４】
信号構造３００は、ＴＴＩにおける、少なくとも１つの第１のシンボル３０２の後の、サイドリンク制御情報（ＳＣＩ）で符号化された少なくとも１つの第２のシンボル３０４をさらに含む。少なくとも１つの第２のシンボル３０４はＳＣＩシンボル３０４と呼ばれることもある。
【００９５】
ＴＴＩにおいて、少なくとも１つの第２のシンボル３０４の後に、信号構造３００は、ＳＣＩに従ってデータで符号化された少なくとも１つの第３のシンボル３０６を含む。少なくとも１つの第３のシンボル３０６はデータシンボル３０６と呼ばれることもある。
【００９６】
少なくとも１つの第２の（またはＳＣＩ）シンボルは、ＳＬの物理サイドリンク制御チャネル（ＰＳＣＣＨ）に割り当てられ得る。少なくとも１つの第２のシンボルは、ＰＳＣＣＨシンボル３０４または、手短に、ＰＳＣＣＨ３０４と呼ばれることもある。
【００９７】
少なくとも１つの第３の（またはデータ）シンボルは、ＳＬの物理サイドリンク共有チャネル（ＰＳＳＣＨ）に割り当てられ得る。少なくとも１つの第３のシンボルは、ＰＳＳＣＨシンボル３０６または、手短に、ＰＳＳＣＨ３０６と呼ばれることもある。
【００９８】
随意に、少なくとも１つの第１の（またはＡＧＣ）シンボル３０２は、ＳＬのＰＳＳＣＨに割り当てられるさらなるシンボルである。この場合、少なくとも１つの第１のシンボルは適時的ＰＳＳＣＨシンボル３０２と呼ばれることもある。
【００９９】
ＳＬ上のデータパケットの完全な送信が、２つの物理チャネル、すなわち、ＰＳＣＣＨおよびＰＳＳＣＨの送信を含み得る。ＰＳＣＣＨは、実際のデータを搬送するＰＳＳＣＨの復号を可能にするためのＳＣＩを搬送する。詳細には、ＰＳＣＣＨにおけるＳＣＩは、ＰＳＳＣＨ３０６が送信される無線リソースに関する（たとえば、時間またはシンボル、周波数またはサブキャリア、および／あるいは空間ストリームまたはフィルタ処理に関する）情報、および／または、ＰＳＳＣＨ３０６がどのように符号化されるかの情報（たとえば、変調符号化方式（ＭＣＳ））を含む。
【０１００】
受信デバイス１００は、最初に、あらかじめ規定されたフォーマットを使用して符号化され得るＰＳＣＣＨ３０４を復号し得る。ＰＳＣＣＨ３０４において受信された制御情報に基づいて、受信デバイス１００は、次いで、関連するＰＳＳＣＨ３０６を復号する。
【０１０１】
信号構造３００は、デバイス２００、たとえば、ＳＬの送信モバイルデバイスから送信され得る。代替的にまたは追加として、信号構造３００は、デバイス１００、たとえば、ＳＬの受信モバイルデバイスにおいて受信され得る。
【０１０２】
図４は、ＴＴＩにおけるＳＬ上のシンボルのシーケンスを受信する方法４００のためのフローチャートを示す。方法４００は、ＴＴＩにおけるＳＬの少なくとも１つの第１のシンボルに基づいて、ＳＬのためのＡＧＣを実施するステップ４０２を含むかまたは始動する。ＡＧＣに基づいて、ＴＴＩにおけるＳＬの少なくとも１つの第２のシンボルにおいて符号化されたＳＣＩが、方法４００のステップ４０４において受信される。ＳＣＩに基づいて、ＴＴＩにおけるＳＬの少なくとも１つの第３のシンボルにおいて符号化されたデータが、方法４００のステップ４０６において受信される。
【０１０３】
方法４００は、デバイス１００によって、たとえば、別の無線デバイス、たとえば、デバイス２００にアクセスするための受信モバイルデバイスにおいてまたはその受信モバイルデバイスを使用して、実施され得る。特に、モジュール１０２、１０４および１０６は、それぞれ、ステップ４０２、４０４および４０６を実施し得る。
【０１０４】
図５は、ＴＴＩにおけるＳＬ上のシンボルのシーケンスを送信する方法５００のためのフローチャートを示す。方法５００は、ＳＬのためのＡＧＣを実施するための基礎としての、ＴＴＩにおけるＳＬの少なくとも１つの第１のシンボルを送信するステップ５０２を含むかまたは始動する。少なくとも１つの第１のシンボルの送信の後に、ＴＴＩにおけるＳＬの少なくとも１つの第２のシンボルにおいて符号化されたＳＣＩが、ステップ５０４において送信される。ステップ５０６において、ＴＴＩにおけるＳＬの少なくとも１つの第３のシンボルにおいて符号化されたデータがＳＣＩに従って送信される。
【０１０５】
ステップ５０２は、ステップ５０４および／または５０６におけるＳＬ（たとえば、Ｄ２ＤまたはＶ２Ｘ）送信のためのＡＧＣ整定を可能にし、および／またはトリガし得る。
【０１０６】
方法５００は、デバイス２００によって、たとえば、別の無線デバイス、たとえば、デバイス１００にアクセスするための送信モバイルデバイスにおいてまたはその送信モバイルデバイスを使用して、実施され得る。特に、モジュール２０２、２０４および２０６は、それぞれ、ステップ５０２、５０４および５０６を実施し得る。
【０１０７】
さらに、方法５００から生じる信号および／または方法４００によって処理される信号は、信号構造３００に従って構造化され得る。特に、モジュール２０２、２０４および２０６は、それぞれ、シンボル３０２、３０４および３０６を生成および／または送信し得る。モジュール１０２、１０４および１０６は、それぞれ、シンボル３０２、３０４および３０６を受信および／または処理し得る。
【０１０８】
デバイス１００および／またはデバイス２００の実施形態は、特に第３世代パートナーシッププロジェクト（３ＧＰＰ）の技術規格文書によれば、スタンドアロン無線通信、アドホック無線ネットワークおよび／または車両無線通信（Ｖ２Ｘ通信）のために設定され得る。リリース１２では、Ｌｏｎｇ  Ｔｅｒｍ  Ｅｖｏｌｕｔｉｏｎ（ＬＴＥ）のための３ＧＰＰ規格は、（「サイドリンク」通信とも呼ばれる）Ｄ２Ｄ（ｄｅｖｉｃｅ−ｔｏ−ｄｅｖｉｃｅ）通信のサポートを伴って拡張された。（近傍サービス（ＰｒｏＳｅ）とも呼ばれる）Ｄ２Ｄ特徴は、商用アプリケーションと公共安全アプリケーションの両方をターゲットにしている。３ＧＰＰ  ＬＴＥリリース１２以来可能にされたＰｒｏＳｅ特徴は、デバイス発見を含み、すなわち、ある無線デバイスが、デバイス識別情報とアプリケーション識別情報とを搬送する発見メッセージをブロードキャストおよび検出することによって、別の無線デバイスおよび関連するアプリケーションの近傍を検知することが可能である。さらなるＰｒｏＳｅ特徴は、デバイス１００とデバイス２００との間の直接終端する物理チャネルに基づく直接通信を可能にする特徴のための一例である。そのような特徴は、とりわけ、文書３ＧＰＰ  ＴＳ２３．３０３、バージョン１５．０．０、および３ＧＰＰ  ＴＳ２４．３３４、バージョン１５．１．０において規定されている。
【０１０９】
３ＧＰＰ  ＬＴＥリリース１４では、Ｄ２Ｄ通信は、車両と歩行者とインフラストラクチャとの間の直接通信の任意の組合せを含む、Ｖ２Ｘ通信のサポートにさらに拡張された。Ｖ２Ｘ通信は、利用可能な場合、ネットワークインフラストラクチャ（たとえば、ＲＡＮ）を利用し得るが、少なくとも基本的なＶ２Ｘコネクティビティが、ＲＡＮカバレッジを欠く場合でも可能である。（たとえば、ＬＴＥおよび／またはＮＲによる）３ＧＰＰ無線インターフェースに基づいてＶ２Ｘ通信を実装することは、規模の経済により、経済的に有利であり得る。さらに、３ＧＰＰ無線インターフェースを使用または拡張することは、専用通信技術を使用することと比較して、ネットワークインフラストラクチャとの通信（Ｖ２Ｉ通信）と（Ｖ２Ｐ（Ｖｅｈｉｃｌｅ−ｔｏ−Ｐｅｄｅｓｔｒｉａｎ）通信およびＶ２Ｖ（Ｖｅｈｉｃｌｅ−ｔｏ−Ｖｅｈｉｃｌｅ）通信などの）車両Ｄ２Ｄ通信との間のより緊密な統合を可能にし得る。
【０１１０】
少なくとも１つの第１のシンボル３０２は、少なくとも１つのＡＧＣ整定シンボル３０２と呼ばれることもある。少なくとも１つの第１のシンボルは、ＴＴＩにおける１つのシンボル、特にＴＴＩにおける第１のシンボルであり得る。第１、第２および第３のシンボルのいずれかまたは各々は、直交周波数分割多重（ＯＦＤＭ）シンボルであり得る。
【０１１１】
本技法は、少なくとも１つの第１のシンボル３０２の効率的な使用のために、すなわち、少なくとも１つのＡＧＣ整定シンボル３０２（たとえば、ＴＴＩにおける第１のＯＦＤＭシンボル）の効率的な使用のために実装され得る。効率的な使用は、以下の４つの実施形態のうちの１つまたは複数に従って実装され得る。
【０１１２】
第１の実施形態では、ＡＧＣ整定シンボル３０２は、ＰＳＳＣＨのためのデータ、たとえば、さらなるデータ、または、データシンボル３０６において符号化されたデータに対して冗長的に符号化されるデータを搬送する。ＡＧＣ整定シンボル３０２は、ＰＳＣＣＨと同じアンテナポート、すなわち、デバイス２００からＳＣＩシンボル３０４を送信するために使用されるアンテナポートを使用して送信される。したがって、ＳＣＩシンボル３０４のＤＭＲＳ（すなわち、ＰＳＣＣＨにおけるＤＭＲＳ）が、ＡＧＣ整定シンボル３０２の復調のために使用される。ＳＣＩシンボル３０４は、データシンボル３０６と比較して、時間領域においてＡＧＣ整定シンボル３０２により近いので、ＰＳＣＣＨのＤＭＲＳは、ＰＳＳＣＨのＤＭＲＳに基づく復調と比較して、復調を改善する。
【０１１３】
第２の実施形態では、ＡＧＣ整定シンボル３０２は、ＰＳＳＣＨのためのデータを搬送し、ＡＧＣ整定シンボル３０２自体の１つまたは複数のＤＭＲＳを有する。たとえば、ＡＧＣ整定シンボル３０２は、データシンボル３０６においても符号化されるデータを符号化するコードワードまたはコードワードの一部分を含み得る。ＡＧＣ整定シンボル３０２では、データ（すなわち、符号化されたデータ）と１つまたは複数のＤＭＲＳとが、異なるサブキャリアにおける同じシンボルにおけるものである。
【０１１４】
第３の実施形態では、ＡＧＣ整定シンボル３０２は、ＰＳＳＣＨのためのデータを搬送し、送信機（たとえば、デバイス２００）がＳＬのためのチャネル条件の遅い変化を測定または予想した場合あるいはその変化を測定または予想したとき、ＰＳＳＣＨと同じアンテナポートを使用して送信される。本明細書では、「遅い」は、受信機（たとえば、デバイス１００）が１つまたは複数のＴＴＩ上で同じＡＧＣセッティングを使用することを可能にする変化に関係し得る。ＰＳＳＣＨのＤＭＲＳ（すなわち、データシンボル３０６におけるＤＭＲＳ）は、ＡＧＣ整定シンボル３０２の復調のために使用される。好ましくは、データシンボル３０６におけるＤＭＲＳは、同じアンテナポートが使用される場合、ＰＳＣＣＨの、すなわち、ＳＣＩシンボル３０４の復調のためにも使用される。
【０１１５】
第４の実施形態では、ＡＧＣ整定シンボル３０２は、１つまたは複数のＤＭＲＳのみを搬送する。ＡＧＣ整定シンボル３０２における１つまたは複数のＤＭＲＳは、ＰＳＣＣＨの復調のために、すなわち、ＳＣＩシンボル３０４を復調するために、適時的に使用される。随意に、ＡＧＣ整定シンボル３０２における１つまたは複数のＤＭＲＳはまた、ＰＳＳＣＨの復調のために、すなわち、データシンボル３０６を復調するために、適時的に使用される。
【０１１６】
実施形態のいずれも、受信デバイス１００、送信デバイス２００、信号構造３００、受信方法４００および／または送信方法５００によって実現され得る。さらに、本技法は、ＳＬ通信のためにＡＧＣ整定シンボルにおいてシグナリングする方法として実装され得る。
【０１１７】
図６は、本技法を実装するための例示的な無線環境６００を概略的に示す。随意に、無線環境６００は、セル６０４内で無線アクセスを提供する少なくとも１つの基地局６０２を含むネットワークインフラストラクチャ、たとえば、ＲＡＮを含む。したがって、無線環境６００は、随意に、ネットワークインフラストラクチャとの、および／またはネットワークインフラストラクチャによってスケジュールされた、Ｖ２Ｘ（Ｖｅｈｉｃｌｅ−ｔｏ−Ｅｖｅｒｙｔｈｉｎｇ）通信６０６を含む。
【０１１８】
代替的にまたは組み合わせて、無線環境６００は、たとえば、ネットワークインフラストラクチャの必要なしのまたはネットワークインフラストラクチャの関与なしの直接Ｖ２Ｘ通信６１０、特に直接Ｖ２Ｖ通信および／または直接Ｖ２Ｐ通信を含む。これらの直接通信機能は、ＬＴＥのリリース１２において最初に指定されたように、ＰｒｏＳｅ（近傍サービス）としても知られるＬＴＥ  Ｄ２Ｄ（ｄｅｖｉｃｅ−ｔｏ−ｄｅｖｉｃｅ）に組み込まれ、車両通信の特定の特性をターゲットにする多くの重要な向上を含む。たとえば、スタンドアロン（すなわち、ネットワークがない）動作のサポートを含む、ネットワークカバレッジありのおよびネットワークカバレッジなしの、ならびにＵＥとＲＡＮとの間の対話の異なる程度を伴う、ＬＴＥ  Ｖ２Ｘ動作が可能である。
【０１１９】
いずれの無線通信も、たとえば、Ｖ２Ｘ通信６０６または６１０のいずれも、たとえば、レイテンシ、信頼性、容量および／またはサービス品質に関して、要件の特定のセットに関連付けられ得る。例として、欧州通信規格協会（ＥＴＳＩ）は、協調認識メッセージ（ＣＡＭ：Ｃｏ−ｏｐｅｒａｔｉｖｅ  Ａｗａｒｅｎｅｓｓ  Ｍｅｓｓａｇｅ）と分散環境通知メッセージ（ＤＥＮＭ：Ｄｅｃｅｎｔｒａｌｉｚｅｄ  Ｅｎｖｉｒｏｎｍｅｎｔａｌ  Ｎｏｔｉｆｉｃａｔｉｏｎ  Ｍｅｓｓａｇｅ）とを含む、道路安全のための２つのタイプのメッセージを規定した。
【０１２０】
ＣＡＭメッセージは、緊急車両を含む車両が、ブロードキャスト様式でそれらの車両の存在および他の関連するパラメータを通知することを可能にする。そのようなメッセージは、他の車両、歩行者およびインフラストラクチャをターゲットにし、それらのアプリケーションによってハンドリングされる。ＣＡＭメッセージはまた、通常トラフィックのための安全運転に対するアクティブ支援として働く。従来、ＣＡＭメッセージの利用可能性は、１００ｍｓごとに指示的に検査され、たいていのメッセージについて１００ｍｓ（たとえば、１００ｍｓの最大レイテンシ）のオーダーの最大検出レイテンシ要件をもたらす。
【０１２１】
衝突前（ｐｒｅ−ｃｒａｓｈ）検知によってまたは衝突前検知のためにトリガされる警告メッセージについてのレイテンシ要件は、５０ｍｓであり得、これは、本技法の実施形態によって、たとえば、自己完結型送信によって満たされ得る。自己完結型送信は、ＴＴＩ中に、（随意に参照信号を含む）ＡＧＣ整定シンボル３０２および（参照信号を含む）ＳＣＩシンボル３０４のワイドビーム受信と、その後に続く、ＳＣＩシンボル３０４において受信されたＳＣＩに従う、データシンボル３０６において符号化されたデータの送信および／または受信とを含み得る。
【０１２２】
ＤＥＮＭメッセージは、イベントによって、たとえば、デバイス１００および／または２００の一実施形態をホストする車両を制動することによって、トリガされ得る。デバイス１００の一実施形態は、１００ｍｓ以下ごとにＤＥＮＭメッセージの利用可能性を検査し得る。
【０１２３】
ＣＡＭメッセージおよびＤＥＮＭメッセージは、近傍にあるすべての車両によって検出されると考えられ、これは、たとえば、ステップ５０２、５０４および／または５０６におけるブロードキャスト送信および／またはワイドビーム送信のために、車両においてデバイス２００の一実施形態を実装することによって達成され得る。
【０１２４】
代替的にまたは追加として、デバイス１００およびデバイス２００の実施形態は、それぞれ、マルチアンテナ無線受信およびマルチアンテナ無線送信のために設定され、多入力多出力（ＭＩＭＯ）無線チャネルを使用し、ならびに／あるいは、それぞれ、無線受信および無線送信においてビームフォーミングまたは空間フィルタ処理を実施し得る。
【０１２５】
Ｖ２Ｘ通信は、３ＧＰＰ  ＬＴＥリリース１４以来、１つの送信（Ｔｘ）アンテナと２つの受信（Ｒｘ）アンテナとをサポートする。アンテナの数は、たとえば、３ＧＰＰ  ＬＴＥ  Ｖ２Ｘリリース１５によれば、信頼性およびデータレートを向上させるために増加され得る。
【０１２６】
本技法は、デバイス１００および２００ごとに、任意の数のアンテナポートのために適用可能である。
【０１２７】
（Ｄ２ＤまたはＰｒｏＳｅおよびＶ２Ｘを含む）ＬＴＥサイドリンクにおける送信の大部分が、少なくとも、物理レイヤ（ＰＨＹ）の観点から、ブロードキャスト送信であり得る。これは、送信デバイス２００の一実施形態の近傍にある受信デバイス１００のすべての実施形態が、信号構造３００をピックアップすることを意味する。送信デバイス２００の近傍にある受信デバイス１００の実施形態の各々は、個々のＡＧＣを実施し得る。
【０１２８】
信号構造３００とは対照的に、このブロードキャスト性質により、従来のＬＴＥ  ＳＬにおいて電力制御機構がなかった。結果として、受信機における信号強度は、ＴＴＩごとに著しく変動することがある。その理由は、デバイスが、信号条件および干渉条件の急速な変化をもたらしながら移動していることである。したがって、送信を受信する前に、受信機のダイナミックレンジを調節する必要がある。３ＧＰＰリリース１２および／または１３によるＤ２Ｄならびにリリース１４および／または１５によるＶ２Ｘは、受信機が、その受信機のＡＧＣを調節するために、１４シンボルサブフレームにおける第１のシンボルを使用することになると仮定する。このシンボルは、一般に、ＡＧＣ整定シンボルと呼ばれる。従来のＬＴＥ  ＳＬでは、このシンボルは情報ビットを含んでいる（すなわち、このシンボルは、たとえば、図１７に示されているように、場合に応じて、ＰＳＣＣＨまたはＰＳＳＣＨの一部である）。ただし、復号要件は、ＡＧＣ整定シンボルが復号目的のために利用可能でないことがあるという仮定の下で規定される。
【０１２９】
受信信号強度がＴＴＩごとにあまり変動しない場合、受信デバイス１００は、受信デバイス１００のＡＧＣセッティングを効果的に再調節する必要がなく、したがって、ＴＴＩにおける少なくとも１つの第１のシンボル３０２を復号することを開始することができる。結果として、少なくともいくつかの実施形態は、ステップ４０２においてＡＧＣを実施したことによりＡＧＣ整定シンボル３０２が失われないときはいつでも、（データおよび／または参照信号を搬送し得る）ＡＧＣ整定シンボル３０２を適時的に使用することができる。たとえば、受信デバイス１００は、ＴＴＩにおいて後で任意の他のデータシンボル３０６として使用され得るＡＧＣ整定シンボル３０２を復調および／または復号する。ＡＧＣ整定シンボル３０２を復調することから生じるソフトビットとデータシンボル３０６を復調することから生じるソフトビットとが、単一のコードブロックとして復号されて、たとえば、前方誤り訂正を改善し、したがって、ブロック誤り率を低減し得る。
【０１３０】
図７は、信号構造３００の一実施形態のための概略時間周波数グリッドを示す。信号構造３００の第１のシンボル３０２は、ＡＧＣ整定のために使用される。
【０１３１】
ＡＧＣ整定シンボル３０２は、適時的情報、たとえば、参照信号および／またはデータを含む。適時的情報の受信は、受信デバイス１００にとって条件的（ｆａｃｕｌｔａｔｉｖｅ）および／または有利である。たとえば、ＡＧＣ整定シンボル３０２において符号化されたデータは、データシンボル３０６において符号化されたデータに対して冗長であり得る。
【０１３２】
ＡＧＣ整定シンボル３０２の数は、ＳＣＩシンボル３０４の数よりも小さくなり得る。ＳＣＩシンボル３０４の数は、データシンボル３０６の数よりも小さくなり得る。
【０１３３】
随意に、ＤＭＲＳシンボル７０２が、信号構造３００において、シンボル３０２とシンボル３０４との間におよび／またはシンボル３０４とシンボル３０６との間に構成される。代替的にまたは追加として、ＤＭＲＳシンボル７０２は、信号構造３００において、ＳＣＩシンボル３０４のうちの少なくともいくつかの間におよび／またはデータシンボル３０６のうちの少なくともいくつかの間に構成される。
【０１３４】
変形態では、ＳＣＩシンボル３０４および／またはデータシンボル３０６は、時間と周波数の両方において（たとえば、ＤＭＲＳに専用のシンボルなしに）分散されたＤＭＲＳを含む。言い換えれば、ＤＭＲＳ７０２は、それぞれ、ＳＣＩおよびデータを搬送する、シンボル３０４および／または３０６中に（たとえば、もっぱら）含まれ得る。
【０１３５】
随意に、信号構造３００は、ＴＴＩの終了において、たとえば、データシンボル３０６の後に隣接するガード期間シンボル７０４を含む。
【０１３６】
図７による信号構造３００の実施形態は、（たとえば、３ＧＰＰリリース１４またはリリース１５による）ＬＴＥ  Ｖ２ＸのＰＳＣＣＨおよび／またはＰＳＳＣＨの物理フォーマットの拡張であり得、各チャネルにおける第１のシンボルが、受信機におけるＡＧＣ整定のために使用されると仮定される。協定信号構造とは対照的に、ＰＳＣＣＨのＳＣＩシンボル３０４は、ＴＴＩ（または各ＴＴＩ）において、ＰＳＳＣＨのデータシンボル３０６の前に構成される。
【０１３７】
図８は、信号構造３００の一実施形態のための概略時間周波数グリッドを示す。信号構造３００は、たとえば、Ｖ２Ｘ通信のために、３ＧＰＰ  ＮＲに従ってＳＬ上のＰＳＣＣＨおよびＰＳＳＣＨのリソースマッピングに対応し得る。
【０１３８】
ＡＧＣ整定シンボル３０２は、ＴＴＩの始まりを規定する。ＰＳＣＣＨのためのＳＣＩシンボル３０４は、ＡＧＣ整定シンボル３０２に（たとえば、隣接して）続く。ＳＣＩシンボル３０４は、随意に、ＤＭＲＳ８０２を含む。ＰＳＳＣＨのためのデータシンボル３０６は、ＳＣＩ整定シンボル３０４に（たとえば、隣接して）続く。ＰＳＳＣＨのためのシンボル３０６は、随意に、ＤＭＲＳを含む。
【０１３９】
信号構造３００のいずれの実施形態も、Ｖ２Ｘ通信のために（すなわち、ＳＬ上で）３ＧＰＰ  ＮＲに従って実装され得る。ＰＳＣＣＨとそのＰＳＳＣＨとの多重化は、セルラ通信のための（すなわち、アップリンクまたはダウンリンク上での）３ＧＰＰ  ＮＲの多重化と同等であるかまたは同様であり得る。３ＧＰＰ  ＬＴＥによる従来のＶ２Ｘ通信とは対照的に、ＰＳＣＣＨは、信号構造３００における同じＴＴＩ（たとえば、サブフレーム）における関連するＰＳＳＣＨに先行し得、その例が、図３、図７および図８の各々に示されている。
【０１４０】
ＳＣＩシンボル３０４（すなわち、ＰＳＣＣＨ）およびデータシンボル３０６（すなわち、ＰＳＳＣＨ）の時間多重化は、図１７に示されている従来の周波数多重化と比較して、いくつかの利点を有する。たとえば、信号構造３００は、受信デバイス１００が、（たとえば、ＬＴＥ  Ｖ２Ｘにおいて起こることとは対照的に）ＰＳＳＣＨを復号することを開始するためにＴＴＩの終了まで待つ必要がないので、ＰＳＳＣＨの高速復号を可能にする。
【０１４１】
したがって、ＡＧＣ整定シンボル３０２の後に、ＳＣＩ（すなわち、制御チャネル、ＰＳＣＣＨ）のためのいくつかのシンボル３０４が続き、次いで、データチャネル（たとえば、ＰＳＳＣＨ）のシンボル３０６が続く。ＰＳＣＣＨおよびＰＳＳＣＨは、独自のＤＭＲＳを含み得、したがって、チャネルの各々は、異なる（たとえば、空間）送信方式を使用することができる。
【０１４２】
ＡＧＣ整定シンボル３０２は、以下の例のうちの少なくとも１つ、好ましくは適時的情報を含み得る。第１の例示的な例として、ＡＧＣ整定シンボル３０２は、ＡＧＣをセットすることを可能にするトレーニングシーケンスを含む。復調性能に関して、この手法は、チャネルのうちの１つまたは複数を復号するためのＡＧＣ整定シンボル３０２の適時的使用を妨げるので、この手法は望ましくない。第２の例示的な例として、ＡＧＣ整定シンボル３０２は、ＳＣＩを搬送する、すなわち、ＰＳＣＣＨに割り当てられる。ロバストネスの観点から、この手法は、ＰＳＣＣＨを失う影響が大きいので、望ましくない。好ましい例として、少なくとも１つのＡＧＣ整定シンボル３０２は、ＰＳＳＣＨを搬送するかまたはＰＳＳＣＨに割り当てられた少なくとも１つのデータシンボルを含み得る。チャネル推定の観点から、単純な実装形態は、たとえば、ＡＣＧシンボルとＰＳＳＣＨとが時間において隣り合っていないので、望ましくないことがあり、したがって、データチャネルのＤＭＲＳは、特に、高い車両速度におけるＶ２Ｘ通信にとって一般的である、チャネルが極めて高速に変化するとき、ＡＧＣシンボルの復調のためにもはや有用でないことがある。
【０１４３】
本技法は、デバイス間の任意の直接通信のコンテキストにおいて実装され得、これはＳＬ（たとえば、３ＧＰＰの専門用語ではＰＣ５通信）と呼ばれる。本技法は、Ｄ２ＤおよびＶ２Ｘ通信について説明されるが、本技法は、任意の他の同様のタイプの通信にも適用可能である。限定ではなく簡潔のために、実施形態の説明は、ＳＬについての３ＧＰＰ専門用語を利用する。特に、ＰＳＣＣＨは、制御情報を搬送する任意の物理チャネルを示すための一例として使用される。ＰＳＳＣＨは、データを搬送する任意の物理チャネルを示すための一例として使用される。ＰＳＣＣＨは、一般に、ＰＳＳＣＨの時間周波数リソースなどの関連するＰＳＳＣＨを復号するために必要とされる情報と、ＰＳＳＣＨのための変調符号化方式（ＭＣＳ）とを含んでいる。通常、ＰＳＣＣＨおよびＰＳＳＣＨは、送信デバイス２００と受信デバイス２００との間のＳＬの伝搬チャネルまたはチャネル状態を推定するために受信デバイス１００によって必要とされる、ＰＳＣＣＨおよびＰＳＳＣＨ自体のＤＭＲＳを有する。それにより、受信デバイス１００は、それぞれ、制御情報およびデータを復号することが可能である。
【０１４４】
その上、「シンボル」という用語はＯＦＤＭシンボルを示し得る。
【０１４５】
受信デバイス１００、送信デバイス２００、信号構造３００、受信方法４００、および送信方法５００のいずれの実施形態も、少なくとも、以下の３つの特徴を含み得る。第１の特徴として、第１のシンボル３０２の一部または第１のシンボル３０２全体が、受信デバイス１００によって、受信デバイス１００のＡＧＣ回路を整定するために使用され、その後に、第２の特徴として、ＰＳＣＣＨのための１つまたは複数のＳＣＩシンボル３０４が続き、その後に、第３の特徴として、関連するＰＳＳＣＨのための１つまたは複数のデータシンボル３０６が続く。
【０１４６】
そのような送信５００は、一般に、１つのＴＴＩ（たとえば、１つのスロットまたは１つのサブフレーム）内で行われ、いくつかのシンボルを含む。図３、図７、および図８の各々は、（随意に、ＴＴＩの終了においてガード期間をさらに含む）上記の３つの特徴を示す。
【０１４７】
本明細書で説明されるいずれの実施形態でも、少なくとも１つの第１のシンボル３０２（すなわち、ＡＧＣ整定シンボル３０２）は、そのシンボルの効率的な（たとえば、適時的）使用を可能にするように構築され得る。すなわち、ＡＧＣ整定シンボル３０２は、必要なときはいつでもＡＧＣを実施することを可能にするように構築され得る。同時に、ＡＧＣ整定シンボル３０２は、ＡＧＣがすでに設定された場合には、チャネルを復号するためにＡＧＣ整定シンボル３０２のコンテンツを活用することを可能にするように、構築され得る。
【０１４８】
第１の実施形態では、ＡＧＣ整定シンボル３０２は、ＰＳＳＣＨを搬送し得るかまたはＰＳＳＣＨに割り当てられ得るが、ＡＧＣ整定シンボル３０２は、ＰＳＣＣＨのアンテナポートを使用してＰＳＳＣＨを送信し得る。言い換えれば、ＡＧＣ整定シンボル３０２は、（たとえば、ＰＳＳＣＨのＤＭＲＳを使用する、ＰＳＳＣＨシンボル３０４の残りとは対照的に）ＰＳＣＣＨのＤＭＲＳに関連付けられるか、またはＰＳＣＣＨのＤＭＲＳを使用して復号される、ＰＳＳＣＨシンボルであり得る。第１の実施形態の技術的利点は、ＡＧＣ整定シンボル３０２におけるデータのために、特定の参照信号が必要とされないことであり得る。たとえば、ＡＧＣ整定シンボル３０２におけるすべてのリソースエレメント（ＲＥ）が、データのために使用され得る。第１の実施形態は、ＡＧＣ整定シンボル３０２とＰＳＣＣＨとが互いの隣にあるので、実際的である。したがって、チャネルは、あまり変化していない可能性がある。
【０１４９】
第２の実施形態では、ＡＧＣ整定シンボル３０２は、データを搬送し、ＡＧＣ整定シンボル３０２自体の１つまたは複数のＤＭＲＳを有し得、そのＤＭＲＳは、受信デバイス１００におけるＡＧＣ整定シンボル３０２の復調のために使用される。第２の実施形態の技術的利点は、第２の実施形態が、ＡＧＣ整定シンボル３０２におけるデータリソースエレメントについての良好なチャネル推定を与え、それにより復調品質を改善することができることであり得る。
【０１５０】
第３の実施形態では、ＡＧＣ整定シンボル３０２は、たとえば、ＰＳＳＣＨと同じアンテナポートを使用してデータを搬送し得る。受信デバイス１００は、ＡＧＣ整定シンボル３０２の復調のために、たとえば、ＳＣＩシンボル３０４中に含まれるＰＳＳＣＨの１つまたは複数のＤＭＲＳを使用し得る。これは、たとえば、ＴＸデバイス２００とＲＸデバイス１００との間の相対速度がとても低いので、チャネルの（すなわち、ＳＬの）コヒーレンス時間が、ＡＧＣ整定シンボル３０２と、１つまたは複数のＤＭＲＳを搬送する第１のＰＳＳＣＨシンボル３０４との間の時間間隔よりも大きいとき、適用可能である。したがって、ＰＳＳＣＨシンボル３０４のＤＭＲＳは、ＡＧＣ整定シンボル３０２の復調のために使用可能である。送信デバイス２００は、チャネルの変化レートについての送信デバイス２００の推定に基づいて、第３の実施形態をいつ実施すべきかを決定し得る。第３の実施形態の利点は、ＡＧＣ整定シンボル３０２全体が、データを搬送するために使用され得ることである。
【０１５１】
第４の実施形態では、ＡＧＣ整定シンボル３０２は、１つまたは複数のＤＭＲＳのみを搬送し得る。ＡＧＣ整定シンボル３０２中に含まれるＤＭＲＳは、ＰＳＣＣＨシンボル３０４の復調のために使用され得る。第４の実施形態の技術的利点は、ＡＧＣ整定シンボル３０２が、ＰＳＣＣＨシンボル３０４についてのチャネル推定を改善することに寄与することができることであり、ＰＳＣＣＨシンボル３０４は、ＰＳＳＣＨシンボル３０６を復号するために必要とされる詳細を含むので、ＰＳＣＣＨシンボル３０４は、パケットまたは自己完結型ＴＴＩの送信における最も重要な部分である。第４の実施形態も、ＡＧＣ整定シンボル３０２が時間においてＰＳＣＣＨシンボル３０４の隣にあるので、実際的である。好ましい実装形態では、ＡＧＣ整定シンボル３０２における１つまたは複数のＤＭＲＳは、ＰＳＣＣＨシンボル３０４の復調の必須の部分でない。ＡＧＣ整定シンボル３０２は、むしろ、復調の品質を改善することができる適時的部分であり得る。
【０１５２】
４つの実施形態の例示的な実装形態が本明細書において以下で説明される。
【０１５３】
第１の実施形態によれば、ＡＧＣ整定シンボル３０２は、データを搬送し、ＰＳＣＣＨ３０４と同じアンテナポートを使用して送信される。結果として、受信機は、ＰＳＣＣＨ３０４のＤＭＲＳを使用して、ＡＧＣ整定シンボル３０２におけるデータを復調および／または復号するためにチャネルを推定する。
【０１５４】
第１の実施形態のいくつかの実装形態では、送信デバイス２００は、図８に概略的に示されているように、ＰＳＣＣＨ３０４とＡＧＣ整定シンボル３０２の両方について良好なチャネル推定を取得するために、ＰＳＣＣＨ３０４の１つまたは複数のＤＭＲＳ８０２をＡＧＣ整定シンボル３０２のできるだけ近くに配置する。たとえば、ＰＳＣＣＨ３０４が２つの連続するＯＦＤＭシンボル３０４からなる場合、１つまたは複数のＤＭＲＳ８０２はＰＳＣＣＨ３０４の第１のシンボル中に配置され、したがって、ＤＭＲＳ８０２は、（たとえば、ＰＳＣＣＨ３０４の第２のシンボルにおいてＤＭＲＳを構成することと比較して）ＡＧＣ整定シンボル３０２のチャネルのより良好な推定を生じることがある。図８に示されているＤＭＲＳの密度は例示的なものにすぎない。
【０１５５】
第２の実施形態によれば、ＡＧＣ整定シンボル３０２は、たとえば、ＰＳＳＣＨシンボル３０６に加えて、ＰＳＳＣＨに割り当てられることによって、データを搬送する。ＡＧＣ整定シンボル３０２は、ＡＧＣ整定シンボル３０２自体の１つまたは複数のＤＭＲＳを含む。受信デバイス１００は、ＡＧＣ整定シンボル３０２における１つまたは複数のＤＭＲＳを使用して、ＡＧＣ整定シンボル３０２におけるデータの復調のためにチャネルを推定する。
【０１５６】
第２の実施形態のいくつかの実装形態では、ＡＧＣ整定シンボル３０２は、ステップ５０２において、ＰＳＣＣＨ３０４と同じアンテナポートを使用して送信される。第２の実施形態の同じまたはさらなる実装形態では、ＡＧＣ整定シンボル３０２は、ＰＳＳＣＨ３０６と同じアンテナポートを使用して送信される。
【０１５７】
いくつかの実装形態では、ＡＧＣ整定シンボル３０２は、ＰＳＣＣＨ３０４のアンテナポートおよび／またはＰＳＳＣＨ３０６のアンテナポート以外の異なるアンテナポートを使用して送信される。
【０１５８】
いくつかの実装形態では、ＡＧＣ整定シンボル３０２はコム状様式で構築される。たとえば、ＡＧＣ整定シンボル３０２における１つおきのサブキャリアが空のままにされる（たとえば、値ゼロを供給されるか、アンロードされるか、または非アクティブのままにされる）。残りのサブキャリア（すなわち、アクティブサブキャリア）は、データまたはＤＭＲＳのいずれかを搬送し得る。
【０１５９】
たとえば、１つまたは複数のＤＭＲＳ９０２が、ｎ個のアクティブサブキャリアごとに供給され得、ｎは、２よりも大きいかまたはそれに等しい正の整数である。図９Ａおよび図９Ｂは、図９Ａにおいてｎ＝２のための例を示し、図９Ｂにおいてｎ＝３のための例を示す。
【０１６０】
第３の実施形態によれば、ＡＣＧ整定シンボル３０２はＰＳＳＣＨデータを含む。ＡＧＣ整定シンボル３０２は、ＰＳＳＣＨ３０６と同じアンテナポートを使用して送信される。
【０１６１】
ＡＧＣ整定シンボル３０２の復調は、たとえば、図１０に概略的に示されているように、ＰＳＳＣＨ３０６における１つまたは複数のＤＭＲＳ１００２に基づいて実施される。ＰＳＳＣＨ３０６におけるＤＭＲＳ１００２は、ＡＧＣ整定シンボル３０２の復調のために使用される。明快のために、ＰＳＳＣＨ３０６の第１のＤＭＲＳシンボルにおけるＤＭＲＳリソース１００２のみが図１０に示されている。
【０１６２】
第３の実施形態のいくつかの実装形態では、送信デバイス２００は、たとえば、チャネル状態情報参照信号の測定に基づいて、または送信デバイス２００と受信デバイス１００とのうちの少なくとも１つの絶対速度に基づいて、または、送信デバイス２００が、送信デバイス２００と受信デバイス１００との間の相対速度を推定したことに基づいて、受信デバイス１００へのチャネル（すなわち、ＳＬ）がどれくらい高速に変化することになるかを推定する。チャネル変化は、ＰＳＳＣＨ３０６におけるＤＭＲＳが、ＡＧＣ整定シンボル３０２についてチャネルを推定するために使用され得るほどに、十分に遅いと決定された場合、送信デバイス２００は、ＡＧＣ整定シンボル３０２におけるＰＳＳＣＨのデータシンボルを送信することを決定する。たとえば、チャネル変化は、ＴＸデバイス２００とＲＸデバイス１００との間の相対速度がとても低いので、チャネル（すなわち、ＳＬ）のコヒーレンス時間が、ＡＧＣ整定シンボル３０２と、ＤＭＲＳを搬送する第１のＰＳＳＣＨシンボル３０４との間の時間間隔よりも大きいとき、十分に遅いと決定され得る。
【０１６３】
第３の実施形態のいくつかの実装形態では、ＰＳＣＣＨ３０４は、ＡＧＣ整定シンボル３０２がＰＳＳＣＨのためのデータを搬送していることと、ＡＧＣ整定シンボル３０２が、ＰＳＳＣＨシンボル３０６と同じアンテナポートを使用して送信されることとを指示する、情報を搬送する。
【０１６４】
第４の実施形態によれば、ＡＧＣ整定シンボル３０２は、ＰＳＣＣＨ３０４のチャネル推定をサポートするために使用され得る１つまたは複数のＤＭＲＳのみを含んでいる。これは、ＡＧＣ整定シンボル３０２が、ＰＳＣＣＨシンボル３０４と同じアンテナポートを使用して送信されることを暗示する。
【０１６５】
ＰＳＣＣＨ３０４は、ＰＳＣＣＨ３０４自体のＤＭＲＳを有し、ＡＧＣ整定シンボル３０２におけるＤＭＲＳは、ステップ５０２におけるＡＧＣ整定によりＡＧＣ整定シンボル３０２が失われない場合、ＰＳＣＣＨ３０４についてのチャネル推定品質を改善するために使用され得る。
【０１６６】
第４の実施形態のいくつかの実装形態では、ＡＣＧ整定シンボル３０２におけるＤＭＲＳは、（たとえば、同じサブキャリアを使用する）ＰＳＣＣＨ３０４におけるＤＭＲＳと同じ周波数マッピング（たとえば、サブキャリア割り当て）を有する。これは、時間方向におけるチャネル推定の補間を容易にし得る。
【０１６７】
第４の実施形態のいくつかの実装形態では、受信デバイス１００は、ＡＧＣ整定シンボル３０２がＰＳＣＣＨ３０４のチャネル推定において使用され得るかどうかを決定するために、受信されたＡＧＣ整定シンボル３０２をＤＭＲＳについての記憶された信号シーケンスのリストと相関させた後に、しきい値を適用する。たとえば、相関器の出力がしきい値を超える場合、受信デバイス１００は、ＡＧＣ整定シンボル３０２が、ＤＭＲＳシーケンスを含んでおり、ＡＧＣ整定プロセス４０２により失われなかったと決定し得る。
【０１６８】
図１１は、デバイス１００の一実施形態のための概略ブロック図を示す。デバイス１００は、方法４００を実施するための１つまたは複数のプロセッサ１１０４と、プロセッサ１１０４に結合されたメモリ１００６とを備える。たとえば、メモリ１１０６は、モジュール１０２および１０４のうちの少なくとも１つを実装する命令で符号化され得る。
【０１６９】
１つまたは複数のプロセッサ１１０４は、単体で、またはメモリ１１０６などのデバイス１００の他の構成要素と併せてのいずれかで、データ受信機機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、マイクロコードおよび／または符号化された論理の組合せであり得る。たとえば、１つまたは複数のプロセッサ１１０４は、メモリ１１０６に記憶された命令を実行し得る。そのような機能は、本明細書で開示される利益のいずれかを含む、本明細書で説明される様々な特徴およびステップを提供することを含み得る。「デバイスはアクションを実施するように動作可能である」という表現は、デバイス１００がアクションを実施するように設定されることを示し得る。
【０１７０】
図１１に概略的に示されているように、デバイス１００は、たとえば、データ受信機として機能する、無線デバイス１１００によって具現され得る。無線デバイス１１００は、１つまたは複数の他の無線デバイスおよび／または１つまたは複数の基地局との無線通信のために、デバイス１００に結合された無線インターフェース１１０２を備える。
【０１７１】
図１２は、デバイス２００の一実施形態のための概略ブロック図を示す。デバイス２００は、方法５００を実施するための１つまたは複数のプロセッサ１２０４と、プロセッサ１２０４に結合されたメモリ１２０６とを備える。たとえば、メモリ１２０６は、モジュール２０２、２０４および２０６のうちの少なくとも１つを実装する命令で符号化され得る。
【０１７２】
１つまたは複数のプロセッサ１２０４は、単体で、またはメモリ１２０６などのデバイス２００の他の構成要素と併せてのいずれかで、データ送信機機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、マイクロコードおよび／または符号化された論理の組合せであり得る。たとえば、１つまたは複数のプロセッサ１２０４は、メモリ１２０６に記憶された命令を実行し得る。そのような機能は、本明細書で開示される利益のいずれかを含む、本明細書で説明される様々な特徴およびステップを提供することを含み得る。「デバイスはアクションを実施するように動作可能である」という表現は、デバイス２００がアクションを実施するように設定されることを示し得る。
【０１７３】
図１２に概略的に示されているように、デバイス２００は、たとえば、データ送信機として機能する、無線デバイス１２００によって具現され得る。無線デバイス１２００は、１つまたは複数の他の無線デバイスおよび／または１つまたは複数の基地局との無線通信のために、デバイス２００に結合された無線インターフェース１２０２を備える。
【０１７４】
図１３を参照すると、一実施形態によれば、通信システム１３００が、無線アクセスネットワークなどのアクセスネットワーク１３１１とコアネットワーク１３１４とを備える、３ＧＰＰタイプセルラネットワークなどの通信ネットワーク１３１０を含む。アクセスネットワーク１３１１は、ＮＢ、ｅＮＢ、ｇＮＢまたは他のタイプの無線アクセスポイントなど、複数の基地局１３１２ａ、１３１２ｂ、１３１２ｃを備え、各々が、対応するカバレッジエリア１３１３ａ、１３１３ｂ、１３１３ｃを規定する。各基地局１３１２ａ、１３１２ｂ、１３１２ｃは、有線接続または無線接続１３１５を介してコアネットワーク１３１４に接続可能である。カバレッジエリア１３１３ｃ中に位置する第１のユーザ機器（ＵＥ）１３９１が、対応する基地局１３１２ｃに無線で接続するか、または対応する基地局１３１２ｃによってページングされるように設定される。カバレッジエリア１３１３ａ中の第２のＵＥ１３９２が、対応する基地局１３１２ａに無線で接続可能である。この例では複数のＵＥ１３９１、１３９２が示されているが、開示される実施形態は、唯一のＵＥがカバレッジエリア中にある状況、または唯一のＵＥが、対応する基地局１３１２に接続している状況に等しく適用可能である。
【０１７５】
通信ネットワーク１３１０は、それ自体、ホストコンピュータ１３３０に接続され、ホストコンピュータ１３３０は、スタンドアロンサーバ、クラウド実装サーバ、分散サーバのハードウェアおよび／またはソフトウェアにおいて、あるいはサーバファーム中の処理リソースとして具現され得る。ホストコンピュータ１３３０は、サービスプロバイダの所有または制御下にあり得るか、あるいはサービスプロバイダによってまたはサービスプロバイダの代わりに動作され得る。通信ネットワーク１３１０とホストコンピュータ１３３０との間の接続１３２１、１３２２が、コアネットワーク１３１４からホストコンピュータ１３３０まで直接延び得るか、または随意の中間ネットワーク１３２０を介して進み得る。中間ネットワーク１３２０は、公衆ネットワーク、プライベートネットワークまたはホストされたネットワークのうちの１つ、あるいはそれらのうちの２つ以上の組合せであり得、中間ネットワーク１３２０は、もしあれば、バックボーンネットワークまたはインターネットであり得、特に、中間ネットワーク１３２０は、２つまたはそれ以上のサブネットワーク（図示せず）を備え得る。
【０１７６】
図１３の通信システム１３００は、全体として、接続されたＵＥ１３９１、１３９２のうちの１つとホストコンピュータ１３３０との間のコネクティビティを可能にする。コネクティビティは、オーバーザトップ（ＯＴＴ）接続１３５０として説明され得る。ホストコンピュータ１３３０および接続されたＵＥ１３９１、１３９２は、アクセスネットワーク１３１１、コアネットワーク１３１４、任意の中間ネットワーク１３２０および可能なさらなるインフラストラクチャ（図示せず）を媒介として使用して、ＯＴＴ接続１３５０を介して、データおよび／またはシグナリングを通信するように設定される。ＯＴＴ接続１３５０は、ＯＴＴ接続１３５０が通過する関与する通信デバイスが、アップリンク通信およびダウンリンク通信のルーティングに気づいていないという意味で、透過的であり得る。たとえば、基地局１３１２は、接続されたＵＥ１３９１にフォワーディング（たとえば、ハンドオーバ）されるべき、ホストコンピュータ１３３０から発生したデータを伴う着信ダウンリンク通信の過去のルーティングについて、通知されないことがあるかまたは通知される必要がない。同様に、基地局１３１２は、ＵＥ１３９１から発生してホストコンピュータ１３３０に向かう発信アップリンク通信の将来ルーティングに気づいている必要がない。
【０１７７】
次に、一実施形態による、前の段落において説明されたＵＥ、基地局およびホストコンピュータの例示的な実装形態が、図１４を参照しながら説明される。通信システム１４００では、ホストコンピュータ１４１０は、通信システム１４００の異なる通信デバイスのインターフェースとの有線接続または無線接続をセットアップおよび維持するように設定された通信インターフェース１４１６を含む、ハードウェア１４１５を備える。ホストコンピュータ１４１０は、記憶能力および／または処理能力を有し得る、処理回路１４１８をさらに備える。特に、処理回路１４１８は、命令を実行するように適応された、１つまたは複数のプログラマブルプロセッサ、特定用途向け集積回路、フィールドプログラマブルゲートアレイ、またはこれらの組合せ（図示せず）を備え得る。ホストコンピュータ１４１０は、ホストコンピュータ１４１０に記憶されるかまたはホストコンピュータ１４１０によってアクセス可能であり、処理回路１４１８によって実行可能である、ソフトウェア１４１１をさらに備える。ソフトウェア１４１１はホストアプリケーション１４１２を含む。ホストアプリケーション１４１２は、ＵＥ１４３０およびホストコンピュータ１４１０において終端するＯＴＴ接続１４５０を介して接続するＵＥ１４３０など、リモートユーザにサービスを提供するように動作可能であり得る。リモートユーザにサービスを提供する際に、ホストアプリケーション１４１２は、ＯＴＴ接続１４５０を使用して送信されるユーザデータを提供し得る。
【０１７８】
通信システム１４００は、通信システム中に提供される基地局１４２０をさらに含み、基地局１４２０は、基地局１４２０がホストコンピュータ１４１０およびＵＥ１４３０と通信することを可能にするハードウェア１４２５を備える。ハードウェア１４２５は、通信システム１４００の異なる通信デバイスのインターフェースとの有線接続または無線接続をセットアップおよび維持するための通信インターフェース１４２６、ならびに基地局１４２０によってサーブされるカバレッジエリア（図１４に図示せず）中に位置するＵＥ１４３０との少なくとも無線接続１４７０をセットアップおよび維持するための無線インターフェース１４２７を含み得る。通信インターフェース１４２６は、ホストコンピュータ１４１０への接続１４６０を容易にするように設定され得る。接続１４６０は直接であり得るか、あるいは接続１４６０は、通信システムのコアネットワーク（図１４に図示せず）を、および／または通信システムの外部の１つまたは複数の中間ネットワークを通過し得る。図示の実施形態では、基地局１４２０のハードウェア１４２５は、処理回路１４２８をさらに含み、処理回路１４２８は、命令を実行するように適応された、１つまたは複数のプログラマブルプロセッサ、特定用途向け集積回路、フィールドプログラマブルゲートアレイ、またはこれらの組合せ（図示せず）を備え得る。基地局１４２０は、内部的に記憶されるかまたは外部接続を介してアクセス可能なソフトウェア１４２１をさらに有する。
【０１７９】
通信システム１４００は、すでに言及されたＵＥ１４３０をさらに含む。ＵＥ１４３０のハードウェア１４３５は、ＵＥ１４３０が現在位置するカバレッジエリアをサーブする基地局との無線接続１４７０をセットアップおよび維持するように設定された、無線インターフェース１４３７を含み得る。ＵＥ１４３０のハードウェア１４３５は、処理回路１４３８をさらに含み、処理回路１４３８は、命令を実行するように適応された、１つまたは複数のプログラマブルプロセッサ、特定用途向け集積回路、フィールドプログラマブルゲートアレイ、またはこれらの組合せ（図示せず）を備え得る。ＵＥ１４３０は、ＵＥ１４３０に記憶されるかまたはＵＥ１４３０によってアクセス可能であり、処理回路１４３８によって実行可能である、ソフトウェア１４３１をさらに備える。ソフトウェア１４３１はクライアントアプリケーション１４３２を含む。クライアントアプリケーション１４３２は、ホストコンピュータ１４１０のサポートを伴って、ＵＥ１４３０を介して人間のまたは人間でないユーザにサービスを提供するように動作可能であり得る。ホストコンピュータ１４１０では、実行しているホストアプリケーション１４１２は、ＵＥ１４３０およびホストコンピュータ１４１０において終端するＯＴＴ接続１４５０を介して、実行しているクライアントアプリケーション１４３２と通信し得る。ユーザにサービスを提供する際に、クライアントアプリケーション１４３２は、ホストアプリケーション１４１２から要求データを受信し、要求データに応答してユーザデータを提供し得る。ＯＴＴ接続１４５０は、要求データとユーザデータの両方を転送し得る。クライアントアプリケーション１４３２は、クライアントアプリケーション１４３２が提供するユーザデータを生成するためにユーザと対話し得る。
【０１８０】
図１４に示されているホストコンピュータ１４１０、基地局１４２０およびＵＥ１４３０は、それぞれ、図１３のホストコンピュータ１３３０、基地局１３１２ａ、１３１２ｂ、１３１２ｃのうちの１つ、およびＵＥ１３９１、１３９２のうちの１つと同等であり得ることに留意されたい。つまり、これらのエンティティの内部の働きは、図１４に示されているようなものであり得、別個に、周囲のネットワークトポロジーは、図１３のものであり得る。
【０１８１】
図１４では、ＯＴＴ接続１４５０は、仲介デバイスとこれらのデバイスを介したメッセージの正確なルーティングとへの明示的言及なしに、基地局１４２０を介したホストコンピュータ１４１０とユーザ機器１４３０との間の通信を示すために抽象的に描かれている。ネットワークインフラストラクチャが、ルーティングを決定し得、ネットワークインフラストラクチャは、ＵＥ１４３０からまたはホストコンピュータ１４１０を動作させるサービスプロバイダから、またはその両方からルーティングを隠すように設定され得る。ＯＴＴ接続１４５０がアクティブである間、ネットワークインフラストラクチャは、さらに、ネットワークインフラストラクチャが、（たとえば、ネットワークの負荷分散考慮または再設定に基づいて）ルーティングを動的に変更する判断を行い得る。
【０１８２】
ＵＥ１４３０と基地局１４２０との間の無線接続１４７０は、本開示全体にわたって説明される実施形態の教示に従う。様々な実施形態のうちの１つまたは複数は、無線接続１４７０が最後のセグメントを形成するＯＴＴ接続１４５０を使用して、ＵＥ１４３０に提供されるＯＴＴサービスの性能を改善する。より正確には、これらの実施形態の教示は、レイテンシを低減し、データレートを改善し、それにより、より良好な応答性などの利益を提供し得る。
【０１８３】
１つまたは複数の実施形態が改善する、データレート、レイテンシおよび他のファクタを監視する目的での、測定プロシージャが提供され得る。測定結果の変動に応答して、ホストコンピュータ１４１０とＵＥ１４３０との間のＯＴＴ接続１４５０を再設定するための随意のネットワーク機能がさらにあり得る。測定プロシージャおよび／またはＯＴＴ接続１４５０を再設定するためのネットワーク機能は、ホストコンピュータ１４１０のソフトウェア１４１１においてまたはＵＥ１４３０のソフトウェア１４３１において、またはその両方において実装され得る。実施形態では、ＯＴＴ接続１４５０が通過する通信デバイスにおいて、またはその通信デバイスに関連して、センサー（図示せず）が展開され得、センサーは、上記で例示された監視された量の値を与えること、またはソフトウェア１４１１、１４３１が監視された量を算出または推定し得る他の物理量の値を与えることによって、測定プロシージャに参加し得る。ＯＴＴ接続１４５０の再設定は、メッセージフォーマット、再送信セッティング、好ましいルーティングなどを含み得、再設定は、基地局１４２０に影響を及ぼす必要がなく、再設定は、基地局１４２０に知られていないかまたは知覚不可能であり得る。そのようなプロシージャおよび機能は、当技術分野において知られ、実施され得る。いくつかの実施形態では、測定は、スループット、伝搬時間、レイテンシなどのホストコンピュータ１４１０の測定を容易にするプロプライエタリＵＥシグナリングを伴い得る。測定は、ソフトウェア１４１１、１４３１が、ソフトウェア１４１１、１４３１が伝搬時間、誤りなどを監視する間にＯＴＴ接続１４５０を使用して、メッセージ、特に空のまたは「ダミー」メッセージが送信されることを引き起こすことにおいて、実装され得る。
【０１８４】
図１５は、一実施形態による、通信システムにおいて実装される方法を示すフローチャートである。通信システムは、図１３および図１４を参照しながら説明されたものであり得る、ホストコンピュータと基地局とＵＥとを含む。本開示の簡単のために、図１５への図面参照のみがこのセクションに含まれる。方法の第１のステップ１５１０において、ホストコンピュータはユーザデータを提供する。第１のステップ１５１０の随意のサブステップ１５１１において、ホストコンピュータは、ホストアプリケーションを実行することによって、ユーザデータを提供する。第２のステップ１５２０において、ホストコンピュータは、ＵＥにユーザデータを搬送する送信を始動する。随意の第３のステップ１５３０において、基地局は、本開示全体にわたって説明される実施形態の教示に従って、ホストコンピュータが始動した送信において搬送されたユーザデータをＵＥに送信する。随意の第４のステップ１５４０において、ＵＥは、ホストコンピュータによって実行されたホストアプリケーションに関連付けられたクライアントアプリケーションを実行する。
【０１８５】
図１６は、一実施形態による、通信システムにおいて実装される方法を示すフローチャートである。通信システムは、図１３および図１４を参照しながら説明されたものであり得る、ホストコンピュータと基地局とＵＥとを含む。本開示の簡単のために、図１５への図面参照のみがこのセクションに含まれる。方法の第１のステップ１６１０において、ホストコンピュータはユーザデータを提供する。随意のサブステップ（図示せず）において、ホストコンピュータは、ホストアプリケーションを実行することによって、ユーザデータを提供する。第２のステップ１６２０において、ホストコンピュータは、ＵＥにユーザデータを搬送する送信を始動する。送信は、本開示全体にわたって説明される実施形態の教示に従って、基地局を介して進み得る。随意の第３のステップ１６３０において、ＵＥは、送信において搬送されたユーザデータを受信する。
【０１８６】
上記の説明から明らかになったように、本技法の実施形態は、以下の２つの目的のうちの少なくとも１つを、随意に同時に達成する。第１の目的は、受信機が、受信された信号の強度に従って、その受信機の動的受信を動的に調節することを可能にする。第２の目的は、無線リソースの効率的なおよび／または自己完結型使用である。実施形態は、ＡＧＣ整定リソースが、データ送信を搬送するために、あるいは制御情報またはデータ送信の復調のために使用可能であるとき、それらのＡＧＣ整定リソースを利用する。
【０１８７】
本発明の多くの利点は上記の説明から十分に理解され、本発明の範囲から逸脱することなく、および／または本発明の利点のすべてを犠牲にすることなしに、ユニットおよびデバイスの形式、構築および構成において様々な変更が行われ得ることは明らかであろう。本発明が多くのやり方で変化され得るので、本発明は以下の特許請求の範囲によってのみ限定されるべきであることを認識されよう。
【図１】
2022502914.tif 000003
【図２】
2022502914.tif 000004
【図３】
2022502914.tif 000005
【図４】
2022502914.tif 000006
【図５】
2022502914.tif 000007
【図６】
2022502914.tif 000008
【図７】
2022502914.tif 000009
【図８】
2022502914.tif 000010
【図９Ａ】
2022502914.tif 000011
【図９Ｂ】
2022502914.tif 000012
【図１０】
2022502914.tif 000013
【図１１】
2022502914.tif 000014
【図１２】
2022502914.tif 000015
【図１３】
2022502914.tif 000016
【図１４】
2022502914.tif 000017
【図１５】
2022502914.tif 000018
【図１６】
2022502914.tif 000019
【図１７】
2022502914.tif 000020
【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
１つの送信時間間隔（ＴＴＩ）におけるサイドリンク（ＳＬ）上のシンボルのシーケンスを受信する方法（４００）であって、前記方法が、
前記ＴＴＩにおける前記ＳＬの少なくとも１つの第１のシンボル（３０２）に基づいて、前記ＳＬのための自動利得制御（ＡＧＣ）を実施するステップ（４０２）と、
前記ＡＧＣに基づいて、前記ＴＴＩにおける前記ＳＬの少なくとも１つの第２のシンボル（３０４）において符号化されたＳＬ制御情報（ＳＣＩ）を受信するステップ（４０４）と、
前記ＳＣＩに基づいて、前記ＴＴＩにおける前記ＳＬの少なくとも１つの第３のシンボル（３０６）において符号化されたデータを受信するステップ（４０６）と
を含むかまたは始動し、
データが前記少なくとも１つの第１のシンボル（３０２）において符号化され、前記ＳＣＩは、前記少なくとも１つの第１のシンボル（３０２）において符号化された前記データが、前記少なくとも１つの第１のシンボル（３０２）中に含まれる参照信号に対応するアンテナポート上で送信されるのか、前記少なくとも１つの第２のシンボル（３０４）中に含まれる参照信号に対応するアンテナポート上で送信されるのか、前記少なくとも１つの第３のシンボル（３０６）中に含まれる参照信号に対応するアンテナポート上で送信されるのかを指示する
ことを特徴とする、方法（４００）。
【請求項２】
前記ＳＬの前記少なくとも１つの第１のシンボル（３０２）が、前記ＴＴＩにおける前記ＳＬの前記少なくとも１つの第２のシンボル（３０４）の受信より前に受信され、および／または、前記ＳＬの前記少なくとも１つの第２のシンボル（３０４）が、前記ＴＴＩにおける前記ＳＬの前記少なくとも１つの第３のシンボル（３０６）の受信より前に受信される、ならびに、
前記ＳＬの前記少なくとも１つの第１のシンボル（３０２）と前記ＳＬの前記少なくとも１つの第２のシンボル（３０４）とが前記ＴＴＩにおいて連続し、および／または、前記ＳＬの前記少なくとも１つの第２のシンボル（３０４）と前記ＳＬの前記少なくとも１つの第３のシンボル（３０６）とが前記ＴＴＩにおいて連続する、
のうちの少なくとも１つである、請求項１に記載の方法。
【請求項３】
前記少なくとも１つの第１のシンボル（３０２）が少なくとも１つの参照信号を含み、オプションで、
前記少なくとも１つの参照信号が少なくとも１つの復調用参照信号（ＤＭＲＳ）を含む、
前記ＳＣＩを受信することが、前記少なくとも１つの第１のシンボル（３０２）における前記少なくとも１つの参照信号を使用して前記少なくとも１つの第２のシンボル（３０４）を復調することを含むかまたは始動する、
前記データと前記少なくとも１つの参照信号とが、周波数領域において前記少なくとも１つの第１のシンボル（３０２）において、好ましくは、前記少なくとも１つの第１のシンボル（３０２）におけるサブキャリアのコム状割り当てにおいて、多重化される、ならびに、
前記少なくとも１つの第１のシンボル（３０２）において符号化された前記データを受信することが、前記少なくとも１つの第１のシンボル（３０２）中に含まれる前記少なくとも１つの参照信号に基づいて、前記少なくとも１つの第１のシンボル（３０２）を復調することを含むかまたは始動する、
のうちの少なくとも１つである、請求項１または２に記載の方法。
【請求項４】
前記少なくとも１つの第１のシンボル（３０２）において符号化された前記データを受信することが、前記少なくとも１つの第２のシンボル（３０４）中に含まれる参照信号に基づいて、前記少なくとも１つの第１のシンボル（３０２）を復調することを含むかまたは始動する、
前記少なくとも１つの第２のシンボル（３０４）中に含まれる前記参照信号が少なくとも１つの復調用参照信号（ＤＭＲＳ）を含む、
前記少なくとも１つの第１のシンボル（３０２）において符号化された前記データを受信することは、前記ＳＬを受信するモバイルデバイスの速度が絶対速度しきい値よりも小さい、受信モバイルデバイスと前記ＳＬを送信するモバイルデバイスとの間の相対速度が相対速度しきい値よりも小さい、チャネル状態の変化レートがレートしきい値よりも小さい、のうちの少なくとも１つである場合、前記少なくとも１つの第３のシンボル（３０６）中に含まれる参照信号に基づいて、前記少なくとも１つの第１のシンボル（３０２）を復調することを含むかまたは始動する、
前記ＴＴＩにおける前記ＳＬの前記少なくとも１つの第１のシンボル（３０２）が、前記ＴＴＩにおける前記ＳＬの前記少なくとも１つの第３のシンボル（３０６）において符号化された前記データに対して冗長なデータで符号化される、
前記ＳＣＩは、前記少なくとも１つの第１のシンボル（３０２）がデータを含むか否かを指示する、
前記少なくとも１つの第１のシンボル（３０２）、前記少なくとも１つの第２のシンボル（３０４）および／または前記少なくとも１つの第３のシンボル（３０６）中に含まれる前記参照信号が、少なくとも１つの復調用参照信号（ＤＭＲＳ）を含む、ならびに、
前記ＳＣＩが、変調方式とコーディング方式とのうちの少なくとも１つを指示し、前記方法が、前記変調方式と前記コーディング方式とのうちの少なくとも１つに従って、前記少なくとも１つの第１のシンボル（３０２）において符号化された前記データと前記少なくとも１つの第３のシンボル（３０６）において符号化された前記データとのうちの少なくとも１つを復号することをさらに含み、オプションで、前記復号することが、前記ＳＣＩを受信した後に、および／または前記ＴＴＩの終了の前に開始する、
のうちの少なくとも１つである、請求項１から３のいずれか一項に記載の方法。
【請求項５】
前記ＳＬが、送信モバイルデバイス（２００）から受信モバイルデバイスへの無線チャネルを含み、オプションで、
前記方法が、前記受信モバイルデバイス（１００）によってまたは前記受信モバイルデバイス（１００）において実施される、
請求項１から４のいずれか一項に記載の方法。
【請求項６】
前記少なくとも１つの第２のシンボル（３０４）が物理ＳＬ制御チャネル（ＰＳＣＣＨ）に割り当てられる、
前記少なくとも１つの第３のシンボル（３０６）が物理ＳＬ共有チャネル（ＰＳＳＣＨ）に割り当てられる、および、
前記少なくとも１つの第１のシンボル（３０２）が物理ＳＬブロードキャストチャネル（ＰＳＢＣＨ）に割り当てられる、
のうちの少なくとも１つである、請求項１から５のいずれか一項に記載の方法。
【請求項７】
１つの送信時間間隔（ＴＴＩ）におけるサイドリンク（ＳＬ）上のシンボル（３０２、３０４、３０６）のシーケンスを送信する方法（５００）であって、前記方法が、
前記ＳＬのための自動利得制御（ＡＧＣ）を実施するための基礎としての、前記ＴＴＩにおける前記ＳＬの少なくとも１つの第１のシンボル（３０２）を送信するステップ（５０２）と、
前記少なくとも１つの第１のシンボル（３０２）の前記送信の後に、前記ＴＴＩにおける前記ＳＬの少なくとも１つの第２のシンボル（３０４）において符号化されたＳＬ制御情報（ＳＣＩ）を送信するステップ（５０４）と、
前記ＳＣＩに従って、前記ＴＴＩにおける前記ＳＬの少なくとも１つの第３のシンボル（３０６）において符号化されたデータを送信するステップ（５０６）と
を含むかまたは始動し、
データが前記少なくとも１つの第１のシンボル（３０２）において符号化され、前記ＳＣＩは、前記少なくとも１つの第１のシンボル（３０２）において符号化された前記データが、前記少なくとも１つの第１のシンボル（３０２）中に含まれる参照信号に対応するアンテナポート上で送信されるのか、前記少なくとも１つの第２のシンボル（３０４）中に含まれる参照信号に対応するアンテナポート上で送信されるのか、前記少なくとも１つの第３のシンボル（３０６）中に含まれる参照信号に対応するアンテナポート上で送信されるのかを指示する
ことを特徴とする、方法（５００）。
【請求項８】
請求項１から６のいずれか一項に記載の１つまたは複数のステップ、またはそれに対応する１つまたは複数のステップをさらに含むかまたは始動する、請求項７に記載の方法。
【請求項９】
１つの送信時間間隔（ＴＴＩ）におけるサイドリンク（ＳＬ）上のシンボル（３０２、３０４、３０６）のシーケンスを含む信号構造（３００）であって、前記信号構造が、
前記ＳＬのための自動利得制御（ＡＧＣ）を実施するための基礎としての、前記ＴＴＩにおける前記ＳＬの少なくとも１つの第１のシンボル（３０２）と、
前記ＴＴＩにおける、前記少なくとも１つの第１のシンボル（３０２）の後の、サイドリンク制御情報（ＳＣＩ）で符号化された少なくとも１つの第２のシンボル（３０４）と、
前記ＴＴＩにおける、前記少なくとも１つの第２のシンボル（３０４）の後の、前記ＳＣＩに従ってデータで符号化された少なくとも１つの第３のシンボル（３０６）と
を含み、
データが前記少なくとも１つの第１のシンボル（３０２）において符号化され、前記ＳＣＩは、前記少なくとも１つの第１のシンボル（３０２）において符号化された前記データが、前記少なくとも１つの第１のシンボル（３０２）中に含まれる参照信号に対応するアンテナポート上で送信されるのか、前記少なくとも１つの第２のシンボル（３０４）中に含まれる参照信号に対応するアンテナポート上で送信されるのか、前記少なくとも１つの第３のシンボル（３０６）中に含まれる参照信号に対応するアンテナポート上で送信されるのかを指示する
ことを特徴とする、信号構造（３００）。
【請求項１０】
さらなるデータと冗長データとのうちの少なくとも１つが、前記少なくとも１つの第１のシンボル（３０２）において符号化される、
前記少なくとも１つの第１のシンボル（３０２）が少なくとも１つの参照信号を含む、ならびに、
前記シーケンスにおける前記シンボル（３０２、３０４、３０６）が、時間において連続するおよび重複しないのうちの少なくとも１つである、
のうちの少なくとも１つである、請求項９に記載の信号構造（３００）。
【請求項１１】
請求項１から８のいずれか一項に記載の１つまたは複数の特徴、またはそれに対応する１つまたは複数の特徴をさらに含む、請求項９または１０に記載の信号構造（３００）。
【請求項１２】
コンピュータプログラム製品であって、前記コンピュータプログラム製品が１つまたは複数のコンピューティングデバイス（１１０４、１２０４）上で実行されたとき、請求項１から６、または７から８のいずれか一項に記載のステップを実施するための、オプションでコンピュータ可読記録媒体（１１０６、１２０６）に記憶された、プログラムコード部分を含む、コンピュータプログラム製品。
【請求項１３】
１つの送信時間間隔（ＴＴＩ）におけるサイドリンク（ＳＬ）上のシンボル（３０２、３０４、３０６）のシーケンスを受信するためのデバイス（１００）であって、前記デバイス（１００）が、
前記ＴＴＩにおける前記ＳＬの少なくとも１つの第１のシンボル（３０２）に基づいて、前記ＳＬのための自動利得制御（ＡＧＣ）を実施するように設定されたＡＧＣユニット（１０２）と、
前記ＡＧＣに基づいて、前記ＴＴＩにおける前記ＳＬの少なくとも１つの第２のシンボル（３０４）において符号化されたＳＬ制御情報（ＳＣＩ）を受信するように設定された制御情報受信ユニット（１０４）と、
前記ＳＣＩに基づいて、前記ＴＴＩにおける前記ＳＬの少なくとも１つの第３のシンボル（３０６）において符号化されたデータを受信するように設定されたデータ受信ユニット（１０６）と
を備え、
データが前記少なくとも１つの第１のシンボル（３０２）において符号化され、前記ＳＣＩは、前記少なくとも１つの第１のシンボル（３０２）において符号化された前記データが、前記少なくとも１つの第１のシンボル（３０２）中に含まれる参照信号に対応するアンテナポート上で送信されるのか、前記少なくとも１つの第２のシンボル（３０４）中に含まれる参照信号に対応するアンテナポート上で送信されるのか、前記少なくとも１つの第３のシンボル（３０６）中に含まれる参照信号に対応するアンテナポート上で送信されるのかを指示する
ことを特徴とする、デバイス（１００）。
【請求項１４】
請求項２から６のいずれか一項に記載のステップを実施するようにさらに設定された、請求項１３に記載のデバイス（１００）。
【請求項１５】
１つの送信時間間隔（ＴＴＩ）におけるサイドリンク（ＳＬ）上のシンボル（３０２、３０４、３０６）のシーケンスを送信するためのデバイス（２００）であって、前記デバイス（２００）が、
前記ＳＬのための自動利得制御（ＡＧＣ）を実施するための基礎としての、前記ＴＴＩにおける前記ＳＬの少なくとも１つの第１のシンボル（３０２）を送信するように設定されたＡＧＣ送信ユニット（２０２）と、
前記少なくとも１つの第１のシンボル（３０２）の前記送信の後に、前記ＴＴＩにおける前記ＳＬの少なくとも１つの第２のシンボル（３０４）において符号化されたＳＬ制御情報（ＳＣＩ）を送信するように設定された制御情報送信ユニット（２０４）と、
前記ＳＣＩに従って、前記ＴＴＩにおける前記ＳＬの少なくとも１つの第３のシンボル（３０６）において符号化されたデータを送信するように設定されたデータ送信ユニット（２０６）と
を備え、
データが前記少なくとも１つの第１のシンボル（３０２）において符号化され、前記ＳＣＩは、前記少なくとも１つの第１のシンボル（３０２）において符号化された前記データが、前記少なくとも１つの第１のシンボル（３０２）中に含まれる参照信号に対応するアンテナポート上で送信されるのか、前記少なくとも１つの第２のシンボル（３０４）中に含まれる参照信号に対応するアンテナポート上で送信されるのか、前記少なくとも１つの第３のシンボル（３０６）中に含まれる参照信号に対応するアンテナポート上で送信されるのかを指示する
ことを特徴とする、デバイス（２００）。
【請求項１６】
請求項８に記載のステップを実施するようにさらに設定された、請求項１５に記載の無線デバイス（２００）。
【請求項１７】
基地局（６０２、１３１２、１４２０）またはゲートウェイとして機能する無線デバイス（２００、１００）と通信するように設定された、ユーザ機器（ＵＥ）（１００、２００、１１００、１２００、１３９１、１３９２、１４３０）であって、前記ＵＥ（１００、２００、１１００、１２００、１３９１、１３９２、１４３０）が、無線インターフェース（１１０２、１２０２、１４３７）と、請求項１から６、または７から８のいずれか一項に記載のステップを実行するように設定された処理回路（１１０４、１２０４、１４３８）とを備える、ユーザ機器（ＵＥ）（１００、２００、１１００、１２００、１３９１、１３９２、１４３０）。
【国際調査報告】
2022502914.tif 000021
2022502914.tif 000022
2022502914.tif 000023
2022502914.tif 000024
2022502914.tif 000025
2022502914.tif 000026